(57)【要約】【課題】本発明の実施形態は、輻輳／過負荷制御方法および装置を提供する。【解決手段】本方法は、ユーザ装置（ＵＥ）またはＵＥグループのネットワーク・アクセスタイムに関する情報をゲートウェイデバイスによって知ること、および上記ＵＥまたはＵＥグループの上記ネットワーク・アクセスタイムを過ぎて上記ＵＥまたは上記ＵＥグループ内のＵＥのセッション管理要求メッセージを上記ゲートウェイデバイスによって拒絶または廃棄すること、または上記ＵＥまたはＵＥグループの上記ネットワーク・アクセスタイムを過ぎて上記ＵＥまたは上記ＵＥグループ内のＵＥのデータを上記ゲートウェイデバイスによって廃棄すること、を含む。本発明の実施形態は上記ＵＥまたは上記グループ内のＵＥに対して異なるように輻輳／過負荷制御を実行し、上記ゲートウェイデバイス上で輻輳／過負荷制御を実施し、上記ゲートウェイデバイス上で多数のＵＥによって引き起こされる輻輳／過負荷を防止し、そして輻輳／過負荷制御の効率を改善する。【選択図】図１
2015173503.tif 000002
【特許請求の範囲】
【請求項１】
ユーザ装置（ＵＥ）グループのベアラーまたはＰＤＰコンテキストの最大数および前記ＵＥグループの最大アクセス速度のうちの少なくとも１つを備える前記ＵＥグループの輻輳／過負荷制御パラメータまたはポリシーに関する情報をゲートウェイデバイスによって知ること、および
前記ＵＥグループの前記輻輳／過負荷制御パラメータまたはポリシーが達せられるまたは超えられる場合に、前記ＵＥグループ内のＵＥのセッション管理要求メッセージを前記ゲートウェイデバイスによって拒絶すること、
を備える輻輳／過負荷制御方法。
【請求項２】
前記ＵＥグループの前記ベアラーまたはＰＤＰコンテキストの数が前記ＵＥグループの前記ベアラーまたはＰＤＰコンテキストの最大数に達するまたは最大数を超える場合に、前記ＵＥグループ内の前記ＵＥの前記セッション管理要求メッセージは拒絶され、
前記ＵＥグループのアクセス速度が前記ＵＥグループの最大アクセス速度に達するまたはこれを超える場合に、前記ＵＥグループ内の前記ＵＥの前記セッション管理要求メッセージは拒絶される、
請求項１に記載の方法。
【請求項３】
前記ＵＥまたは前記ＵＥグループ内の前記ＵＥの前記セッション管理要求メッセージを前記拒絶することは、第１の時間指示情報および／または原因値を保持するセッション管理拒絶メッセージを移動度管理要素に送信することであり、
前記第１の時間指示情報は前記第１の時間指示情報によって指示された時間範囲内に前記ＵＥグループ内の前記ＵＥのアクセス要求メッセージを拒絶するように前記移動度管理要素に命令するために使用される、または
前記第１の時間指示情報は前記第１の時間指示情報によって指示された前記時間範囲を過ぎて前記ＵＥグループ内の前記ＵＥの前記アクセス要求メッセージを受け入れるように前記移動度管理要素に命令するために使用される、または
前記原因値は前記ゲートウェイデバイスが輻輳／過負荷状態にあることを前記移動度管理要素に通知するために使用される、請求項１〜２いずれか一項に記載の方法。
【請求項４】
前記ＵＥグループの前記輻輳／過負荷制御パラメータまたはポリシーに関する前記情報を前記ゲートウェイデバイスによって前記知ることは、
構成情報から前記ＵＥグループの前記輻輳／過負荷制御パラメータまたはポリシーに関する前記情報を移動度管理要素によって知り、そしてセッション管理メッセージを介して前記ＵＥグループの前記輻輳／過負荷制御パラメータまたはポリシーに関する前記情報を前記ゲートウェイデバイスに通知すること、または
加入プロファイルリポジトリから前記ＵＥグループの前記輻輳／過負荷制御パラメータまたはポリシーに関する前記情報を前記移動度管理要素によって知り、そしてセッション管理メッセージを介して前記ＵＥグループの前記輻輳／過負荷制御パラメータまたはポリシーに関する前記情報を前記ゲートウェイデバイスに通知すること、または
ＵＥコンテキストから前記ＵＥグループの前記輻輳／過負荷制御パラメータまたはポリシーに関する前記情報を前記移動度管理要素によって知り、そしてセッション管理メッセージを介して前記ＵＥグループの前記輻輳／過負荷制御パラメータまたはポリシーに関する前記情報を前記ゲートウェイデバイスに通知すること、または
前記ゲートウェイデバイスの構成情報から前記ＵＥグループの前記輻輳／過負荷制御パラメータまたはポリシーに関する前記情報を前記ゲートウェイデバイスによって知ること、または
データベースから前記ＵＥグループの前記輻輳／過負荷制御パラメータまたはポリシーに関する前記情報を前記ゲートウェイデバイスによって知ること、を備える、請求項１または３に記載の方法。
【請求項５】
前記ゲートウェイデバイスの前記構成情報は前記ＵＥグループのグループＩＤにしたがって構成された前記ＵＥグループの前記輻輳／過負荷制御パラメータまたはポリシーに関する前記情報であり、および
前記ゲートウェイデバイスの前記構成情報から前記ＵＥグループの前記輻輳／過負荷制御パラメータまたはポリシーに関する前記情報を前記ゲートウェイデバイスによって前記知ることは、
前記ＵＥグループの前記グループＩＤを保持する前記ＵＥのセッション管理要求を前記ゲートウェイデバイスによって受信すること、および
前記ゲートウェイデバイス上で構成された前記ＵＥグループの前記輻輳／過負荷制御パラメータまたはポリシーに関する前記情報を前記ＵＥグループの前記グループＩＤにしたがって前記ゲートウェイデバイスによって問合せを行うこと、を備える、請求項４に記載の方法。
【請求項６】
前記ＵＥグループ内の前記ＵＥの前記セッション管理要求メッセージを前記拒絶することは、セッション管理拒絶メッセージを移動度管理要素に送信することであり、
前記セッション管理拒絶メッセージを受信した後に第２の時間指示情報を前記移動度管理要素によって前記ＵＥに送信することを更に備えており、
第２の時間指示情報は前記第２の時間指示情報によって指示された時間範囲内にアクセス要求メッセージを送信しないように前記グループ内の前記ＵＥに命令するために使用される、または
前記第２の時間指示情報は前記第２の時間指示情報によって指示された前記時間範囲を過ぎてアクセス要求メッセージを送信するように前記グループ内の前記ＵＥに命令するために使用される、請求項１または５に記載の方法。
【請求項７】
前記第２の時間指示情報は、
前記ゲートウェイデバイスによって送信された前記セッション管理拒絶メッセージ内の第１の時間指示情報である、または
前記ゲートウェイデバイスによって送信された前記セッション管理拒絶メッセージ内の前記第１の時間指示情報にしたがって前記移動度管理要素によって生成される、または
構成された第２の時間指示情報にしたがって前記移動度管理要素によって生成される、請求項６に記載の方法。
【請求項８】
前記ゲートウェイデバイスによって送信された前記セッション管理拒絶メッセージ内の前記第１の時間指示情報にしたがって前記移動度管理要素によって前記生成することは、
前記ゲートウェイデバイスによって送信された前記第１の時間指示情報から前記ＵＥによって送信されたアクセス要求を受信した時点を前記移動度管理要素によって差し引き、そして得られた結果を前記第２の時間指示情報の値として使用することを備える、請求項７に記載の方法。
【請求項９】
前記ＵＥグループ内の前記ＵＥの前記セッション管理要求メッセージを前記拒絶することは、前記ＵＥグループの前記ベアラーまたはＰＤＰコンテキストの数が前記ＵＥグループの前記ベアラーまたはＰＤＰコンテキストの最大数に達するまたは最大数を超えることを許されているかどうか、または前記ＵＥグループのアクセス速度数が前記ＵＥグループの最大アクセス速度に達するまたはこれを超えることを許されているかどうかを示すために使用される指示情報にしたがって前記ＵＥまたは前記ＵＥグループ内の前記ＵＥの前記セッション管理要求メッセージを拒絶することを備えており、
前記指示情報は前記ゲートウェイデバイス上で構成される、または
移動度管理要素は加入データから前記指示情報を知り、そしてセッション管理メッセージを介して前記指示情報を前記ゲートウェイデバイスに通知する、請求項２に記載の方法。
【請求項１０】
ユーザ装置（ＵＥ）グループのベアラーまたはＰＤＰコンテキストの最大数および前記ＵＥグループの最大アクセス速度のうちの少なくとも１つを備える前記ＵＥグループの輻輳／過負荷制御パラメータまたはポリシーに関する情報を知ることに適応した学習モジュールと、
前記ＵＥグループの前記輻輳／過負荷制御パラメータまたはポリシーが達せられるまたは超えられる場合に、前記ＵＥグループ内のＵＥのセッション管理要求メッセージを拒絶することに適応した制御モジュールと、
を備えるゲートウェイデバイス。
【請求項１１】
前記制御モジュールは、
前記ＵＥグループの前記ベアラーまたはＰＤＰコンテキストの数が前記ＵＥグループの前記ベアラーまたはＰＤＰコンテキストの最大数に達するまたは最大数を超える場合に、前記ＵＥグループ内の前記ＵＥの前記セッション管理要求メッセージを拒絶し、
前記ＵＥグループのアクセス速度が前記ＵＥグループの最大アクセス速度に達するまたはこれを超える場合に、前記ＵＥグループ内の前記ＵＥの前記セッション管理要求メッセージを拒絶する、
ことに適応している、請求項１０に記載のゲートウェイデバイス。
【請求項１２】
前記制御モジュールは更に、第１の時間指示情報および／または原因値を保持するセッション管理拒絶メッセージを移動度管理要素に送信することに適応しており、
前記第１の時間指示情報は前記第１の時間指示情報によって指示された時間範囲内に前記ＵＥグループ内の前記ＵＥのアクセス要求メッセージを拒絶するように前記移動度管理要素に命令するために使用される、または
前記第１の時間指示情報は前記第１の時間指示情報によって指示された前記時間範囲を過ぎて前記ＵＥグループ内の前記ＵＥの前記アクセス要求メッセージを受け入れるように前記移動度管理要素に命令するために使用される、または
前記原因値は前記ゲートウェイデバイスが輻輳／過負荷状態にあることを前記移動度管理要素に通知するために使用される、請求項１０〜１１いずれか一項に記載のゲートウェイデバイス。
【請求項１３】
前記学習モジュールは、
構成情報から移動度管理要素によって知られる前記ＵＥグループの前記輻輳／過負荷制御パラメータまたはポリシーに関する前記情報を前記移動度管理要素からセッション管理メッセージ介して知ること、または
加入プロファイルリポジトリから前記移動度管理要素によって知られる前記ＵＥグループの前記輻輳／過負荷制御パラメータまたはポリシーに関する前記情報を前記移動度管理要素からセッション管理メッセージを介して知ること、または
ＵＥコンテキストから前記移動度管理要素によって知られる前記ＵＥグループの前記輻輳／過負荷制御パラメータまたはポリシーに関する前記情報を前記移動度管理要素からセッション管理メッセージを介して知ること、または
前記ゲートウェイデバイスの構成情報から前記ＵＥグループの前記輻輳／過負荷制御パラメータまたはポリシーに関する前記情報を知ること、または
データベースから前記ＵＥグループの前記輻輳／過負荷制御パラメータまたはポリシーに関する前記情報を知ること、に適応している、請求項１０〜１２いずれか一項に記載のゲートウェイデバイス。
【発明の詳細な説明】
【技術分野】
【０００１】
本発明は、通信技術の分野に関し、特に輻輳負荷制御方法および装置に関する。
【背景技術】
【０００２】
多数のユーザ装置（ユーザ装置、ＵＥ）を有する機械型通信（Ｍａｃｈｉｎｅ  Ｔｙｐｅ  Ｃｏｍｍｕｎｉｃａｔｉｏｎｓ）（機械型通信、ＭＴＣ）アプリケーションでは、複数のＵＥ（ＭＴＣアプリケーションのＵＥ）は以下グループまたはＵＥグループと呼ばれる全体を構成し得る。よって、ネットワーク運用者またはＭＴＣユーザはこのグループを全体として管理し制御し得る。多数のこのようなＵＥがネットワークにアクセスするとき移動度管理要素は輻輳／過負荷状態になる可能性があり、そのために輻輳／過負荷制御が実行される。移動度管理要素はＵＥのグループに関して１つまたは数個のゲートウェイデバイスを選択し得る。すなわち同じグループ内の異なるＵＥは異なる移動度管理要素を介して１つまたは数個のゲートウェイデバイスに接続され得る。したがって移動度管理要素は、ネットワークにおけるグループ内のＵＥの接続性要求を１つまたは数個のゲートウェイデバイスに集中させ得る。移動度管理要素が輻輳／過負荷状態にない場合でも、ゲートウェイデバイスは多数の信号伝達の影響下で輻輳／過負荷状態になる可能性がある。
【０００３】
本発明を実現する過程で、本発明者は従来技術に少なくとも下記の問題を見出している。
【０００４】
移動度管理要素は、それ自身の状態情報だけにしたがってＵＥのアクセスを制御するために輻輳／過負荷制御を実行し得るが、ゲートウェイデバイスが輻輳／過負荷状態にあるかどうかを知ることはできない。したがって移動度管理要素は、輻輳／過負荷制御を実行できない。その結果、後続のＵＥによって開始された接続性要求はゲートウェイデバイスに影響を与え、ゲートウェイデバイスの輻輳／過負荷はより深刻になる可能性がある。その結果、ゲートウェイデバイスは正常に機能することができない。
【０００５】
更に、移動度管理要素が輻輳／過負荷状態にある場合、移動度管理要素は輻輳／過負荷制御を実行するようにアクセスネットワーク要素に通知し、そしてこのアクセスネットワーク要素は輻輳／過負荷制御を実行するときにＵＥを区別しない。機械間（Ｍａｃｈｉｎｅ  ｔｏ  Ｍａｃｈｉｎｅ）（機械間、Ｍ２Ｍ）アプリケーションでは、多数のＭＴＣユーザが存在するので異なるＭＴＣユーザのＭ２Ｍアプリケーションのサービス特性は異なる。したがってある幾人かの特定のＭＴＣユーザのＭ２Ｍアプリケーションはネットワークの輻輳／過負荷を引き起こす、例えばある幾人かのＭＴＣユーザのＵＥは頻繁にネットワークへのアクセスを開始するか、またはネットワークへの処置を切り離し、ネットワークの輻輳または過負荷という結果を引き起こす。ネットワークデバイスがゲートウェイデバイスに対して輻輳／過負荷制御を実行できる場合でも、ネットワークデバイスはゲートウェイデバイスの輻輳／過負荷を引き起こすＵＥを区別して制御することができず、それによって輻輳／過負荷制御の効率を低下させる。
【発明の概要】
【発明が解決しようとする課題】
【０００６】
本発明の実施形態は、ゲートウェイデバイスに対して輻輳／過負荷制御を実行し、ゲートウェイデバイス上で多数のＵＥによって引き起こされる輻輳／過負荷を防止し、そして輻輳／過負荷制御の効率を改善することのできる輻輳／過負荷制御方法および装置を提供する。
【課題を解決するための手段】
【０００７】
本発明の一実施形態は、
ＵＥまたはＵＥグループのネットワーク・アクセスタイムに関する情報をゲートウェイデバイスによって知ること、および
上記ＵＥまたはＵＥグループのネットワーク・アクセスタイムを過ぎて上記ＵＥまたは上記ＵＥグループ内のＵＥのセッション管理要求メッセージを上記ゲートウェイデバイスによって拒絶または廃棄すること、または
上記ＵＥまたはＵＥグループのネットワーク・アクセスタイムを過ぎて上記ＵＥまたは上記ＵＥグループ内の上記ＵＥのデータを上記ゲートウェイデバイスによって廃棄すること、を含む輻輳／過負荷制御方法を提供する。
【０００８】
本発明の一実施形態は、
ＵＥグループの輻輳／過負荷制御パラメータまたはポリシーに関する情報をゲートウェイデバイスによって知ること、および
上記ＵＥグループの上記輻輳／過負荷制御パラメータまたはポリシーが達せられる、または超えられる場合には、
上記ＵＥグループ内のＵＥのセッション管理要求メッセージを上記ゲートウェイデバイスによって拒絶または廃棄すること、または
上記ＵＥグループ内の上記ＵＥのデータを上記ゲートウェイデバイスによって廃棄すること、または
上記ＵＥグループ内の上記ＵＥのベアラーまたはＰＤＰコンテキストを上記ゲートウェイデバイスによって削除すること、または
上記ＵＥグループの上記輻輳／過負荷制御パラメータまたはポリシーを超えるデータを上記ゲートウェイデバイスによって廃棄すること、または
上記ゲートウェイデバイスによって上記ＵＥグループの上記輻輳／過負荷制御パラメータまたはポリシーを超えるデータに関して料金請求すること、を含むもう１つの輻輳／過負荷制御方法を提供する。
【０００９】
本発明の一実施形態は、
ゲートウェイデバイスが輻輳／過負荷状態にあることまたはアプリケーションサーバが機能不全／輻輳／過負荷／到達不能／誤動作状態にあることを示す、ゲートウェイデバイスによって送信された指示メッセージを受信すること、および
上記ゲートウェイデバイスにアクセスするＵＥに関して他のゲートウェイデバイスを選択すること、または
上記ゲートウェイデバイスまたは上記アプリケーションサーバによってサービス提供されるＵＥのアクセス要求メッセージを拒絶または廃棄すること、または
上記ゲートウェイデバイスまたは上記アプリケーションサーバ上でＵＥを切り離すこと、または
上記ゲートウェイデバイスまたは上記アプリケーションサーバ上でＵＥのベアラーを削除すること、を含む更にもう１つの輻輳／過負荷制御方法を提供する。
【００１０】
本発明の一実施形態は、
ＵＥまたはＵＥグループのネットワーク・アクセスタイムに関する情報を知ることに適応した学習モジュールと、
上記ＵＥまたはＵＥグループの上記ネットワーク・アクセスタイムを過ぎて、上記ＵＥまたは上記ＵＥグループ内のＵＥのセッション管理要求メッセージを拒絶または廃棄することに、または上記ＵＥまたは上記ＵＥグループ内のＵＥのデータを廃棄することに適応した制御モジュールと、を含むゲートウェイデバイスを提供する。
【００１１】
本発明の一実施形態は、
ＵＥグループの輻輳／過負荷制御パラメータまたはポリシーに関する情報を知ることに適応した学習モジュールと、
上記ＵＥグループの上記輻輳／過負荷制御パラメータまたはポリシーが達せられる、または超えられる場合に、上記ＵＥグループ内のＵＥのセッション管理要求メッセージを拒絶または廃棄すること、または上記ＵＥグループ内の上記ＵＥのデータを廃棄すること、または上記ＵＥグループ内の上記ＵＥのベアラーまたはＰＤＰコンテキストを削除すること、または上記ＵＥグループの上記輻輳／過負荷制御パラメータまたはポリシーを超えるデータを廃棄すること、または上記ＵＥグループの上記輻輳／過負荷制御パラメータまたはポリシーを超えるデータに関して料金請求すること、に適応した制御モジュールと、を含むもう１つのゲートウェイデバイスを提供する。
【００１２】
本発明の一実施形態は、
移動度管理要素がゲートウェイデバイスにアクセスするＵＥに関して他のゲートウェイデバイスを選択するように、または上記ゲートウェイデバイスまたはアプリケーションサーバによってサービス提供されるＵＥのアクセス要求メッセージを拒絶または廃棄するように、または上記ゲートウェイデバイスまたはアプリケーションサーバ上でＵＥを切り離すように、または上記ゲートウェイデバイスまたはアプリケーションサーバ上で上記ＵＥのベアラーを削除するように、ゲートウェイデバイスが輻輳／過負荷状態にあることまたはアプリケーションサーバが機能不全／輻輳／過負荷／到達不能／誤動作状態にあることを示す指示メッセージを移動度管理要素に送信することに適応した送信モジュールを含む更にもう１つのゲートウェイデバイスを提供する。
【００１３】
本発明の一実施形態は、
ゲートウェイデバイスが輻輳／過負荷状態にあることまたはアプリケーションサーバが機能不全／輻輳／過負荷／到達不能／誤動作状態にあることを示す、上記ゲートウェイデバイスによって送信された指示メッセージを受信することに適応した受信モジュールと、上記ゲートウェイデバイスにアクセスするＵＥに関して他のゲートウェイデバイスを選択すること、または上記ゲートウェイデバイスまたは上記アプリケーションサーバによってサービス提供されるＵＥのアクセス要求メッセージを拒絶または廃棄すること、または上記ゲートウェイデバイスまたは上記アプリケーションサーバ上でＵＥを切り離すこと、または上記ゲートウェイデバイスまたは上記アプリケーションサーバ上でＵＥのベアラーを削除すること、に適応した制御モジュールと、を含む移動度管理要素を提供する。
【００１４】
上記の技法的ソリューションから分かるように、本発明のこれらの実施形態の輻輳／過負荷制御方法を使用することによって、ゲートウェイデバイスが輻輳／過負荷状態にあるときゲートウェイデバイスはＵＥまたはＵＥグループのネットワーク・アクセスタイムに関する知られた情報にしたがって、またはＵＥグループの輻輳／過負荷制御パラメータまたはポリシーに関する知られた情報にしたがってＵＥグループ内のＵＥに対して異なるように輻輳／過負荷制御を実行できるので、輻輳／過負荷制御はゲートウェイデバイスに対して実行可能であり、ゲートウェイデバイス上で多数のＵＥによって引き起こされる輻輳／過負荷は防止され、そして輻輳／過負荷制御の効率は改善される。
【００１５】
本発明の実施形態におけるまたは従来技術における技法的ソリューションをより明確に説明するために、下記はこれらの実施形態または従来技術の説明において必要とされる添付図面を概説している。明らかに、添付図面は本発明のほんの幾つかの例示的実施形態を図示しているだけであり、当分野に通常のスキルを有する人々は独創的努力をせずに添付図面から他の図面を導き出すことができる。
【図面の簡単な説明】
【００１６】
【図１】本発明の第１の実施形態による輻輳／過負荷制御方法の概略流れ図である。
【図２】本発明の第２の実施形態による輻輳／過負荷制御方法の概略流れ図である。
【図３】本発明の第３の実施形態によるもう１つの輻輳／過負荷制御方法の概略流れ図である。
【図４】本発明の第４の実施形態によるもう１つの輻輳／過負荷制御方法の概略流れ図である。
【図５】本発明の第５の実施形態による更にもう１つの輻輳／過負荷制御方法の概略流れ図である。
【図６】本発明の第６の実施形態による更にもう１つの輻輳／過負荷制御方法の概略流れ図である。
【図７】本発明の第７の実施形態によるゲートウェイデバイスの概略構造図である。
【図８】本発明の第８の実施形態によるもう１つのゲートウェイデバイスの概略構造図である。
【図９】本発明の第９の実施形態による更にもう１つのゲートウェイデバイスの概略構造図である。
【図１０】本発明の第１０の実施形態による更にもう１つのゲートウェイデバイスの概略構造図である。
【図１１】本発明の第１１の実施形態による移動度管理要素の概略構造図である。
【発明を実施するための形態】
【００１７】
本発明の実施形態において提供された技法的ソリューションは添付図面を参照しながら下記に明確にまた完全に説明される。明らかに、これらの実施形態は本発明の単に例示的な実施形態であり、本発明はこのような実施形態に限定されない。当分野に精通する人々が本発明の実施形態に基づいて取得する他の実施形態も本発明の範囲内に入る。
【００１８】
図１は本発明の第１の実施形態による輻輳／過負荷制御方法の概略流れ図である。この実施形態におけるＵＥは時間で制御されるＵＥであり、特にこのＵＥは定義された（認可された、または設定された）時間内でだけサービスを開始することができる。図１に示されているように、この実施形態の輻輳／過負荷制御方法は下記のステップを含み得る。
【００１９】
ステップ１０１：ゲートウェイデバイスはＵＥまたはＵＥグループのネットワーク・アクセスタイム（例えば、認可された／許可されたアクセス許諾期間）に関する情報を知る。
【００２０】
ステップ１０２：ゲートウェイデバイスはＵＥまたはＵＥグループのネットワーク・アクセスタイムを過ぎてＵＥグループ内のＵＥのセッション管理要求メッセージを拒絶または廃棄する、または
ゲートウェイデバイスはＵＥまたはＵＥグループのネットワーク・アクセスタイムを過ぎてＵＥグループ内のＵＥのデータを廃棄する。
【００２１】
この実施形態で提供された輻輳／過負荷制御方法を使用することによって、ゲートウェイデバイスが輻輳／過負荷状態にあるときゲートウェイデバイスはＵＥまたはＵＥグループのネットワーク・アクセスタイムに関する知られた情報にしたがってＵＥグループ内のＵＥに対して異なるように輻輳／過負荷制御を実行し得るので、輻輳／過負荷制御はゲートウェイデバイスに対して実行可能であり、ゲートウェイデバイス上で多数のＵＥによって引き起こされる輻輳／過負荷は防止され、そして輻輳／過負荷制御の効率は改善される。
【００２２】
この実施形態のステップ１０１で、ゲートウェイデバイスは下記のモードでＵＥまたはＵＥグループのネットワーク・アクセスタイムに関する情報を知り得る。
【００２３】
Ａ．移動度管理要素からＵＥまたはＵＥグループのネットワーク・アクセスタイムに関する情報を知る。
【００２４】
特に、ＵＥまたはＵＥグループのネットワーク・アクセスタイムに関する情報を知った後に移動度管理要素はこの時間情報をセッション管理メッセージ、例えば（クリエイト）ＰＤＰコンテキスト生成要求メッセージまたはセッション生成要求メッセージを介してゲートウェイデバイスに送信し得る。移動度管理要素は下記のモードで時間情報を知り得る。
【００２５】
ａ．加入プロファイルリポジトリからＵＥまたはＵＥグループのネットワーク・アクセスタイムに関する情報を知る。
【００２６】
ＵＥによって送信されたアクセス要求メッセージを受信した後に、移動度管理要素はホーム位置レジスタ（ホーム位置レジスタ、ＨＬＲ）またはホーム加入者サーバ（ホーム加入者サーバ、ＨＳＳ）といった加入プロファイルリポジトリからＵＥまたはＵＥグループの加入データを知る可能性があり、この加入データはＵＥのネットワーク・アクセスタイムに関する情報またはＵＥグループのネットワーク・アクセスタイムに関する情報を含む。この特定のモードは、移動度管理要素が更新位置要求メッセージを加入プロファイルリポジトリに送信すること、更新位置要求メッセージを受信した後に加入プロファイルリポジトリが更新位置肯定応答メッセージを介して加入データ内のＵＥまたはＵＥグループのネットワーク・アクセスタイムに関する情報を移動度管理要素に返送すること、であり得る。
【００２７】
アクセス要求メッセージは、添付要求メッセージ、経路指定領域更新要求メッセージ、追跡領域更新要求メッセージ、サービス要求メッセージ、パケットデータ・ネットワーク（ＰＤＮ）接続性要求メッセージ、またはＰＤＰコンテキスト活性化要求メッセージであり得る。
【００２８】
ｂ．ＵＥコンテキストからＵＥまたはＵＥグループのネットワーク・アクセスタイムに関する情報を知る。
【００２９】
特に、ＵＥコンテキストが移動度管理要素に記憶されている場合には、移動度管理要素もＵＥコンテキストからＵＥまたはＵＥグループのネットワーク・アクセスタイムに関する情報を知り得る。
【００３０】
ｃ．構成情報からＵＥまたはＵＥグループのネットワーク・アクセスタイムに関する情報を知る。
【００３１】
移動度管理要素は、ＵＥグループのＩＤ（グループＩＤと呼ばれる）にしたがってＵＥまたはＵＥグループのネットワーク・アクセスタイムに関する情報を構成し、この構成情報からＵＥまたはＵＥグループのネットワーク・アクセスタイムに関する情報を知り得る。グループＩＤはグループを識別するために使用され、グループはＵＥグループ、機械間（機械間、Ｍ２Ｍ）ＭＴＣユーザ、Ｍ２Ｍアプリケーション加入者（ＭＴＣ加入者またはＭＴＣサーバ）、または複数のデバイスからなる他のグループである可能性があり、このことはこの実施形態に限定されない。上記のグループＩＤは、ＵＥグループＩＤ、またはグループ内の複数のＵＥによって共有されるＩＤ、例えば国際移動加入者識別番号（国際移動加入者識別番号、ＩＭＳＩ）、移動局国際統合サービス・ディジタルネットワーク番号（移動局国際統合サービス・ディジタルネットワーク番号、ＭＳＩＳＤＮ）、または国際移動装置識別（国際移動装置識別、ＩＭＥＩ）である可能性があり、あるいはＩＭＳＩセグメントまたはＭＳＩＳＤＮセグメントである可能性もあり、あるいはあるグループを指すことができる他のＩＤ、例えばアクセスポイント名（アクセスポイント名、ＡＰＮ）である可能性もある。この実施形態はグループＩＤの形を限定しない。
【００３２】
Ｂ．構成情報からＵＥまたはＵＥグループのネットワーク・アクセスタイムに関する情報を知る。
【００３３】
ゲートウェイデバイスは、ＵＥグループのＩＤ（グループＩＤと呼ばれる）にしたがってＵＥまたはＵＥグループのネットワーク・アクセスタイムに関する情報を構成し、構成情報からＵＥまたはＵＥグループのネットワーク・アクセスタイムに関する情報を知る可能性がある。特に、ゲートウェイデバイスは移動度管理要素によって送信されたセッション管理メッセージ、例えばＰＤＰコンテキスト生成要求メッセージまたはセッション生成要求メッセージを介してＵＥ  ＩＤまたはＵＥグループＩＤを知り、そしてＵＥ  ＩＤまたはＵＥグループＩＤにしたがって構成情報からＵＥまたはＵＥグループのネットワーク・アクセスタイムに関する情報を知る可能性がある。
【００３４】
Ｃ．データベースからＵＥまたはＵＥグループのネットワーク・アクセスタイムに関する情報を知る。
【００３５】
特に、ゲートウェイデバイスは移動度管理要素によって送信されたセッション管理メッセージ、例えばＰＤＰコンテキスト生成要求メッセージまたはセッション生成要求メッセージを介してＵＥ  ＩＤまたはＵＥグループＩＤを知り、そしてＵＥ  ＩＤまたはＵＥグループＩＤにしたがってＵＥまたはＵＥグループのネットワーク・アクセスタイムに関する情報について認証、認可および会計（認証、認可および会計、ＡＡＡ）サーバといったデータベースに問合せを行う可能性がある。
【００３６】
この実施形態のステップ１０２で、輻輳／過負荷状態のゲートウェイデバイスは習得したＵＥまたはＵＥグループのネットワーク・アクセスタイムに関する情報にしたがって下記のモードで輻輳／過負荷制御を実行し得る。
【００３７】
Ａ．ＵＥのネットワーク・アクセスタイムを過ぎてＵＥのセッション管理要求メッセージを拒絶または廃棄する。
【００３８】
特に、ゲートウェイデバイスが輻輳／過負荷状態であるときＵＥのネットワーク・アクセスタイムを過ぎている場合（例えばＵＥのネットワーク・アクセスタイムに関する情報によって識別される時間範囲を過ぎている場合）、ゲートウェイデバイスはＵＥに関して移動度管理要素によって送信されたセッション管理要求メッセージ、例えばＰＤＰコンテキスト生成要求メッセージ、セッション生成要求メッセージまたはベアラー修正要求メッセージを受信し、ゲートウェイデバイスはこのセッション管理要求メッセージを拒絶または廃棄する。所望によりゲートウェイデバイスは、ＵＥのネットワーク・アクセスタイムを過ぎてＵＥのセッション管理要求を受け入れることを可能にするかどうかを示す指示情報にしたがってセッション管理要求メッセージを受け入れ、または拒絶、または廃棄してもよい。例えば、ＵＥのセッション管理要求がＵＥのネットワーク・アクセスタイムを過ぎて受け入れられることを許されていないことを指示情報が示す場合には、ゲートウェイデバイスはＵＥのネットワーク・アクセスタイムを過ぎたＵＥのセッション管理要求メッセージを拒絶または廃棄する。
【００３９】
ＵＥのネットワーク・アクセスタイムを過ぎてＵＥのセッション管理要求を受け入れることを可能にするかどうかを示す指示情報はゲートウェイデバイス上で構成され得る。例えば、移動度管理要素によって送信されたセッション管理要求メッセージを受信した後に、ゲートウェイデバイスはセッション管理要求メッセージ内のＵＥ  ＩＤにしたがって構成情報に問合せを行い、ＵＥのネットワーク・アクセスタイムを過ぎてＵＥのセッション管理要求を受け入れることを可能にするかどうかを示す指示情報を知る。代替として、ＵＥのネットワーク・アクセスタイムを過ぎてＵＥのセッション管理要求を受け入れることを可能にするかどうかを示す指示情報は加入データ内で定義され得る。例えば、移動度管理要素はＵＥのネットワーク・アクセスタイムを過ぎてＵＥのセッション管理要求を受け入れることを可能にするかどうかを示す指示情報を加入データから知り、それからセッション管理要求メッセージを介して、ＵＥのネットワーク・アクセスタイムを過ぎてＵＥのセッション管理要求を受け入れることを可能にするかどうかを示す指示情報をゲートウェイデバイスに送信する。
【００４０】
所望により、ゲートウェイデバイスは移動度管理要素に返送されたセッション管理拒絶メッセージ内の時間指示情報（第１の時間指示情報と呼ばれる）（バックオフタイム）（例えば持続時間または時点）および／または原因値を保持してもよい。第１の時間指示情報および／または原因値を受信した後に移動度管理要素は下記の処理を実行し得る。
【００４１】
移動度管理要素は第１の時間指示情報および／または原因値をＵＥに送信する（例えば移動度管理要素はアクセス要求拒絶メッセージを介して第１の時間指示情報および／または原因値をＵＥに送信する）。または
【００４２】
２．移動度管理要素は受信された第１の時間指示情報および／または原因値にしたがって時間指示情報（第２の時間指示情報と呼ばれる）および／または原因値情報を生成し、この生成された第２の時間指示情報および／または原因値情報をＵＥに送信する。例えば、ゲートウェイデバイスによって送信された第１の時間指示情報を知った後に、移動度管理要素はＵＥによって送信されたアクセス要求を受信し、第１の時間指示情報からＵＥによって送信されたアクセス要求受信した時間を差し引き、そして得られた結果を第２の時間指示情報の値として使用する。または
【００４３】
３．移動度管理要素は第１の時間指示情報および／または原因値にしたがってアクセス制御を実行する（例えばＵＥのアクセス要求メッセージを拒絶または廃棄する）。特に、第１の時間指示情報は第１の時間指示情報によって指示された時間範囲内に（例えば第１の時間指示情報が満了する前に）ＵＥのアクセス要求メッセージを拒絶または廃棄するように移動度管理要素に命令するために使用され得る、または第１の時間指示情報は第１の時間指示情報によって指示された時間範囲を過ぎて（例えば第１の時間指示情報が満了した後に）ＵＥのアクセス要求メッセージを受け入れるように移動度管理要素に命令するために使用され得る、原因値はゲートウェイデバイスが輻輳／過負荷状態にあることを移動度管理要素に通知するために使用され得る。または
【００４４】
４．移動度管理要素は第１の時間指示情報および／または原因値（３で説明された）にしたがってアクセス制御を実行し、第１の時間指示情報および／または原因値をＵＥに送信する（例えば移動度管理要素はアクセス要求拒絶メッセージを介して第１の時間指示情報および／または原因値をＵＥに送信する）。
【００４５】
更に、ゲートウェイデバイスのセッション拒絶要求メッセージを受信した後に、移動度管理要素は第２の時間指示情報および／または原因値情報を生成し（用意し）、そして第２の時間指示情報および／または原因値情報をＵＥに送信する（例えば移動度管理要素はアクセス要求拒絶メッセージを介して第２の時間指示情報および／または原因値情報をＵＥに送信する）。例えば、移動度管理要素は構成情報（移動度管理要素上で構成された第２の時間指示情報の値）にしたがって第２の時間指示情報および／または原因値情報を生成する。
【００４６】
移動度管理要素によってＵＥに送信された第２の時間指示情報はアクセス要求を頻繁にまたは直ちに開始しないようにＵＥに命令するために使用される。特に、第２の時間指示情報は第２の時間指示情報によって示された時間範囲内に（例えば第２の時間指示情報が満了する前に）アクセス要求メッセージを送信しないようにＵＥに命令するために使用され得る、または第２の時間指示情報は第２の時間指示情報によって示された時間範囲を過ぎて（例えば第２の時間指示情報が満了した後に）アクセス要求メッセージを送信するようにＵＥに命令するために使用されることもあり得る、更に原因値情報は更にアクセス要求メッセージを頻繁にまたは直ちに送信しないようにＵＥに命令するために使用され得る。移動度管理要素によってＵＥに送信された第２の時間指示情報および／または原因値情報にしたがって、ＵＥはアクセス要求を頻繁にまたは直ちに開始しないであろうが、このことはネットワーク上で多数のＵＥによって引き起こされる頻繁に繰り返される信号伝達の影響を軽減し、多量の信号伝達の影響によって引き起こされるネットワークの輻輳または過負荷を防止する。
【００４７】
Ｂ．ＵＥグループのネットワーク・アクセスタイムを過ぎて、ＵＥグループ内のＵＥのセッション管理要求メッセージを拒絶または廃棄する。
【００４８】
特に、ゲートウェイデバイスが輻輳／過負荷状態にあるときＵＥグループ内のＵＥのネットワーク・アクセスタイムを過ぎている場合（例えばＵＥグループのネットワーク・アクセスタイムに関する情報によって識別された時間範囲を過ぎている場合）、ゲートウェイデバイスはＵＥグループ内のＵＥに関して移動度管理要素によって送信されたセッション管理要求メッセージ、例えばＰＤＰコンテキスト生成要求メッセージ、セッション生成要求メッセージまたはベアラー修正要求メッセージを受信し、ゲートウェイデバイスはこのセッション管理要求メッセージを拒絶または廃棄する。所望によりゲートウェイデバイスは、ＵＥグループのネットワーク・アクセスタイムを過ぎてＵＥグループ内のＵＥのセッション管理要求を受け入れることを可能にするかどうかを示す指示情報にしたがってセッション管理要求メッセージを受け入れるか拒絶するか廃棄してもよい。例えば、ＵＥグループ内のＵＥのセッション管理要求がＵＥグループのネットワーク・アクセスタイムを過ぎて受け入れられることを許されていないことを指示情報が示す場合には、ゲートウェイデバイスはＵＥグループのネットワーク・アクセスタイムを過ぎてＵＥグループ内のＵＥのセッション管理要求メッセージを拒絶または廃棄する。
【００４９】
ＵＥグループのネットワーク・アクセスタイムを過ぎてＵＥグループ内のＵＥのセッション管理要求を受け入れることを可能にするかどうかを示す指示情報はゲートウェイデバイス上で構成され得る。例えば移動度管理要素によって送信されたセッション管理要求メッセージを受信した後に、ゲートウェイデバイスはセッション管理要求メッセージ内のＵＥ  ＩＤまたはＵＥグループＩＤにしたがって構成情報に問合せを行い、ＵＥグループのネットワーク・アクセスタイムを過ぎてＵＥグループ内のＵＥのセッション管理要求を受け入れることを可能にするかどうかを示す指示情報を知る。代替として、ＵＥグループのネットワーク・アクセスタイムを過ぎてＵＥグループ内のＵＥのセッション管理要求を受け入れることを可能にするかどうかを示す指示情報は加入データ内で定義され得る。例えば、移動度管理要素はＵＥグループのネットワーク・アクセスタイムを過ぎてＵＥグループ内のＵＥのセッション管理要求を受け入れることを可能にするかどうかを示す指示情報を加入データから知り、それからＵＥグループのネットワーク・アクセスタイムを過ぎてＵＥグループ内のＵＥのセッション管理要求を受け入れることを可能にするかどうかを示す指示情報をセッション管理要求メッセージを介してゲートウェイデバイスに送信する。
【００５０】
更に、ゲートウェイデバイスはＵＥグループ内のＵＥに関して移動度管理要素によって送信されたセッション管理要求メッセージをパーセンテージにしたがって拒絶または廃棄し得る。ゲートウェイデバイスが輻輳／過負荷状態にあるとき、ＵＥグループ内のＵＥのネットワーク・アクセスタイムを過ぎてＵＥグループ内のＵＥに関して移動度管理要素によって送信されたセッション管理要求メッセージをゲートウェイデバイスが受信した場合にはゲートウェイデバイスはパーセンテージにしたがってセッション管理要求メッセージを拒絶または廃棄する。
【００５１】
所望により、ゲートウェイデバイスは移動度管理要素に返送されたセッション管理拒絶メッセージ内の時間指示情報（第１の時間指示情報と呼ばれる）（バックオフタイム）（例えば持続時間または時点）および／または原因値を保持してよい。
【００５２】
第１の時間指示情報および／または原因値を受信した後に移動度管理要素は下記の処理を実行し得る。
【００５３】
移動度管理要素は第１の時間指示情報および／または原因値をＵＥに送信する（例えば移動度管理要素はアクセス要求拒絶メッセージを介して第１の時間指示情報および／または原因値をＵＥに送信する）。または
【００５４】
２．移動度管理要素は受信された第１の時間指示情報および／または原因値にしたがって時間指示情報（第２の時間指示情報と呼ばれる）および／または原因値情報を生成し、この生成された第２の時間指示情報および／または原因値情報をＵＥに送信する。例えばゲートウェイデバイスによって送信された第１の時間指示情報を知った後に、移動度管理要素はＵＥによって送信されたアクセス要求を受信し、第１の時間指示情報からＵＥによって送信されたアクセス要求を受信した時点を差し引き、そして得られた結果を第２の時間指示情報の値として使用する。または
【００５５】
３．移動度管理要素は第１の時間指示情報および／または原因値にしたがってアクセス制御を実行する（例えばＵＥのアクセス要求メッセージを拒絶または廃棄する）。特に、第１の時間指示情報は第１の時間指示情報によって指示された時間範囲内に（例えば第１の時間指示情報が満了する前に）ＵＥグループ内のＵＥのアクセス要求メッセージを拒絶または廃棄するように移動度管理要素に命令するために使用され得る、または第１の時間指示情報は第１の時間指示情報によって指示された時間範囲を過ぎて（例えば第１の時間指示情報が満了した後に）ＵＥグループ内のＵＥのアクセス要求メッセージを受け入れるように移動度管理要素に命令するために使用され得る、または
【００５６】
４．移動度管理要素は第１の時間指示情報および／または原因値（３で説明された）にしたがってアクセス制御を実行し、第１の時間指示情報および／または原因値をＵＥに送信する（例えば移動度管理要素はアクセス要求拒絶メッセージを介して第１の時間指示情報および／または原因値をＵＥに送信する）。
【００５７】
更に、ゲートウェイデバイスのセッション拒絶要求メッセージを受信した後に、移動度管理要素は第２の時間指示情報および／または原因値情報を生成し（用意し）、そして第２の時間指示情報および／または原因値情報をＵＥに送信する（例えば移動度管理要素はアクセス要求拒絶メッセージを介して第２の時間指示情報および／または原因値情報をＵＥに送信する）。例えば、移動度管理要素は構成情報（移動度管理要素上で構成された第２の時間指示情報の値）にしたがって第２の時間指示情報および／または原因値情報を生成する。
【００５８】
移動度管理要素によってＵＥに送信された第２の時間指示情報はアクセス要求を頻繁にまたは直ちに開始しないようにＵＥに命令するために使用される。特に、第２の時間指示情報は第２の時間指示情報によって示された時間範囲内に（例えば第２の時間指示情報が満了する前に）アクセス要求メッセージを送信しないようにＵＥグループ内のＵＥに命令するために使用され得る、または第２の時間指示情報は第２の時間指示情報によって示された時間範囲を過ぎて（例えば第２の時間指示情報が満了した後に）アクセス要求メッセージを送信するようにＵＥグループ内のＵＥに命令するためにも使用され得る、原因値情報は更にアクセス要求メッセージを頻繁にまたは直ちに送信しないようにＵＥグループ内のＵＥに命令するために使用され得る。移動度管理要素によってＵＥに送信された第２の時間指示情報および／または原因値情報にしたがって、ＵＥはアクセス要求を頻繁にまたは直ちに開始しないであろうが、このことはネットワーク上で多数のＵＥによって引き起こされる頻繁に繰り返される信号伝達の影響を軽減し、多量の信号伝達の影響によって引き起こされるネットワークの輻輳または過負荷を防止する。
【００５９】
Ｃ．ＵＥまたはＵＥグループのネットワーク・アクセスタイムを過ぎてＵＥグループ内のＵＥのデータを廃棄する。
【００６０】
特に、ゲートウェイデバイスが輻輳／過負荷状態にあるときＵＥグループ内のＵＥのネットワーク・アクセスタイムを過ぎている場合（例えばＵＥまたはＵＥグループのネットワーク・アクセスタイムに関する情報によって識別された時間範囲を過ぎている場合）、ゲートウェイデバイスはＵＥグループのＵＥをデータを受信し、ゲートウェイデバイスはこのデータを廃棄する。例えばＵＥグループ内のＵＥのネットワーク・アクセスタイムを過ぎて、ゲートウェイデバイスはＵＥグループ内のＵＥのベアラーゲート状態を閉鎖にセットする、ゲートウェイデバイスがＵＥグループ内のＵＥのデータを受信したときゲートウェイデバイスはこのデータを廃棄し得る。所望によりゲートウェイデバイスは、ＵＥまたはＵＥグループのネットワーク・アクセスタイムを過ぎてＵＥグループ内のＵＥのデータを受け入れることを可能にするかどうかを示す指示情報にしたがってＵＥグループ内のＵＥのデータを受け入れるか廃棄してもよい。例えば、ＵＥグループ内のＵＥのデータがＵＥまたはＵＥグループのネットワーク・アクセスタイムを過ぎて受け入れられることを許されていないことを指示情報が示す場合には、ゲートウェイデバイスはＵＥまたはＵＥグループのネットワーク・アクセスタイムを過ぎてＵＥグループ内のＵＥのデータを廃棄する。
【００６１】
ＵＥまたはＵＥグループのネットワーク・アクセスタイムを過ぎてＵＥグループ内のＵＥのデータを受け入れることを可能にするかどうかを示す指示情報はゲートウェイデバイス上で構成され得る。例えば、移動度管理要素によって送信されたセッション管理要求メッセージを受信した後に、ゲートウェイデバイスはセッション管理要求メッセージ内のＵＥ  ＩＤまたはＵＥグループＩＤにしたがって構成情報に問合せを行い、ＵＥまたはＵＥグループのネットワーク・アクセスタイムを過ぎてＵＥグループ内のＵＥのデータを受け入れることを可能にするかどうかを示す指示情報を知る。または、ＵＥまたはＵＥグループのネットワーク・アクセスタイムを過ぎてＵＥグループ内のＵＥのデータを受け入れることを可能にするかどうかを示す指示情報は加入データ内で定義され得る。例えば、移動度管理要素はＵＥまたはＵＥグループのネットワーク・アクセスタイムを過ぎてＵＥグループ内のＵＥのデータを受け入れることを可能にするかどうかを示す指示情報を加入データから知り、それからＵＥまたはＵＥグループのネットワーク・アクセスタイムを過ぎてＵＥグループ内のＵＥのデータを受け入れることを可能にするかどうかを示す指示情報をセッション管理要求メッセージを介してゲートウェイデバイスに送信する。
【００６２】
この実施形態の輻輳／過負荷制御方法は、複数の無線アクセスネットワーク、例えば発展ＵＭＴＳ（ユニバーサル移動体電気通信システム、ＵＭＴＳ）地上無線アクセスネットワーク（発展ＵＭＴＳ地上無線アクセスネットワーク、Ｅ−ＵＴＲＡＮ）、ＵＭＴＳ地上無線アクセスネットワーク（ＵＭＴＳ地上無線アクセスネットワーク、ＵＴＲＡＮ）、ＧＳＭ（登録商標）（移動体通信用グローバルシステム）またはＥＤＧＥ（ＧＳＭ（登録商標）発展用増強データ転送速度）無線アクセスネットワーク（ＧＳＭ（登録商標）／ＥＤＧＥ無線アクセスネットワーク、ＧＥＲＡＮ）および非第３世代パートナーシッププロジェクト（第３世代パートナーシッププロジェクト、３ＧＰＰ）ネットワークにおいて適用可能である。
【００６３】
移動度管理要素は、Ｅ−ＵＴＲＡＮにおける移動度管理エンティティ（移動度管理エンティティ、ＭＭＥ）またはＵＴＲＡＮ／ＧＥＲＡＮにおけるサービスＧＰＲＳ（汎用パケット無線サービス、ＧＰＲＳ）サポートノード（サービスＧＰＲＳサポートノード、ＳＧＳＮ）であり得る。
【００６４】
ゲートウェイデバイスは、サービスゲートウェイ（サービスゲートウェイ、Ｓ−ＧＷ）、パケットデータ・ネットワーク・ゲートウェイ（パケットデータ・ネットワーク・ゲートウェイ、Ｐ−ＧＷ）、またはゲートウェイＧＰＲＳ（汎用パケット無線サービス、ＧＰＲＳ）サポートノード（ゲートウェイＧＰＲＳサポートノード、ＧＧＳＮ）といったネットワーク要素であり得る。
【００６５】
同様に、この実施形態の移動度管理要素は同様の仕方でグループ内のＵＥに対して異なるように輻輳／過負荷制御を実行する可能性もあり、このことはこれ以上ここでは説明されない。移動度管理要素が輻輳／過負荷状態にあるとき、移動度管理要素はＵＥまたはＵＥグループのネットワーク・アクセスタイムに関する知られた情報にしたがってＵＥグループ内のＵＥに対して異なるように輻輳／過負荷制御を実行し得るので、輻輳／過負荷制御は移動度管理要素に対して実行可能であり、ゲートウェイデバイス上で多数のＵＥによって引き起こされる輻輳／過負荷は防止され、そして輻輳／過負荷制御の効率は改善される。
【００６６】
図２は、本発明の第２の実施形態による輻輳／過負荷制御方法の概略流れ図である。この実施形態は第１の実施形態の特定の事例である。図２に示されているように、この実施形態の輻輳／過負荷制御方法は下記のステップを含み得る。
【００６７】
ステップ２０１：ＵＥはアクセス要求メッセージを移動度管理要素に送信する。
【００６８】
アクセス要求メッセージは、添付要求メッセージ、経路指定領域更新要求メッセージ、追跡領域更新要求メッセージ、サービス要求メッセージ、ＰＤＮ接続性要求メッセージ、またはＰＤＰコンテキスト活性化要求メッセージであり得る。
【００６９】
ステップ２０２：移動度管理要素はアクセス要求メッセージを受信し、アクセス要求メッセージが添付要求メッセージまたは経路指定領域更新メッセージまたは追跡領域更新要求メッセージである場合には更新位置要求メッセージを加入プロファイルリポジトリに送信する。
【００７０】
ステップ２０３：加入プロファイルリポジトリは更新位置要求メッセージを受信し、更新位置肯定応答メッセージを移動度管理要素に返送するが、この更新位置肯定応答メッセージはＵＥまたはＵＥグループのネットワーク・アクセスタイムに関する情報を保持し得る。
【００７１】
ステップ２０４：移動度管理要素は更新位置肯定応答メッセージを受信し、セッション管理要求メッセージをゲートウェイデバイスに送信するが、このセッション管理要求メッセージはＵＥまたはＵＥグループのネットワーク・アクセスタイムに関する情報を保持し得る。
【００７２】
このセッション管理要求メッセージ内に保持されているＵＥまたはＵＥグループのネットワーク・アクセスタイムに関する情報は加入プロファイルリポジトリまたはＵＥコンテキストから移動度管理要素によって知られ得るか、あるいは移動度管理要素自身によって構成され得る。
【００７３】
セッション管理要求メッセージはＰＤＰコンテキスト生成要求メッセージまたはセッション生成要求メッセージまたはベアラー修正要求メッセージであり得る。
【００７４】
ゲートウェイデバイスがＰＧＷである場合には、移動度管理要素はＳＧＷを介してセッション管理メッセージをＰＧＷに送信し得る。
【００７５】
ステップ２０５：ゲートウェイデバイスはセッション管理要求メッセージを受信し、セッション管理要求応答メッセージを移動度管理要素に返送する。ゲートウェイデバイスはＵＥまたはＵＥグループのネットワーク・アクセスタイムに関する情報にしたがって輻輳／過負荷制御を実行するが、ここでゲートウェイデバイスがネットワーク・アクセスタイムに関する情報にしたがって輻輳／過負荷制御を実行するＵＥまたはＵＥグループのそのネットワーク・アクセスタイムに関する情報は移動度管理要素から知られ得るか、あるいはゲートウェイデバイス自身によって構成され得る。
【００７６】
セッション管理要求応答メッセージは、ＰＤＰコンテキスト生成応答／拒絶メッセージ、セッション応答生成／拒絶メッセージ、またはベアラー修正応答／拒絶メッセージであり得る。
【００７７】
このステップにおいて、ゲートウェイデバイスが輻輳／過負荷制御を実行するための方法は第１の実施形態で説明されており、ここでは更に説明されることはない。
【００７８】
所望により、ゲートウェイデバイスはセッション管理要求応答メッセージ内に第１の時間指示情報（バックオフタイム）（例えば持続時間または時点）および／または原因値を保持してもよい。第１の時間指示情報および／または原因値は第１の実施形態で説明されており、ここで更に説明されることはない。
【００７９】
ステップ２０６：移動度管理要素はセッション管理要求応答メッセージを受信し、アクセス要求応答メッセージをＵＥグループ内のＵＥに返送する。
【００８０】
アクセス要求応答メッセージは、添付受入れ／拒絶メッセージ、経路指定領域更新受入れ／拒絶メッセージ、追跡領域更新受入れ／拒絶メッセージ、サービス要求受入れ／拒絶メッセージ、ＰＤＮ接続性受入れ／拒絶メッセージ、または活性ＰＤＰコンテキスト受入れ／拒絶メッセージであり得る。
【００８１】
所望により、移動度管理要素はアクセス要求応答メッセージ内に第２の時間指示情報（バックオフタイム）（例えば持続時間または時点）および／または原因値情報を保持してもよい。第２の時間指示情報および／または原因値情報は第１の実施形態で説明されており、ここで更に説明されることはない。
【００８２】
この実施形態において提供された輻輳／過負荷制御方法を使用することによって、ゲートウェイデバイスが輻輳／過負荷状態にあるときゲートウェイデバイスはＵＥまたはＵＥグループのネットワーク・アクセスタイムに関する知られた情報にしたがってＵＥグループ内のＵＥに対して異なるように輻輳／過負荷制御を実行し得るので、輻輳／過負荷制御はゲートウェイデバイスに対して実行可能であり、ゲートウェイデバイス上で多数のＵＥによって引き起こされる輻輳／過負荷は防止され、そして輻輳／過負荷制御の効率は改善される。
【００８３】
図３は、本発明の第３の実施形態によるもう１つの輻輳／過負荷制御方法の概略流れ図である。図３に示されているように、この実施形態の輻輳／過負荷制御方法は下記のステップを含み得る。
【００８４】
ステップ３０１：ゲートウェイデバイスはＵＥグループの輻輳／過負荷制御パラメータまたはポリシーに関する情報を知る。
【００８５】
ステップ３０２：ＵＥグループの輻輳／過負荷制御パラメータまたはポリシーが達せられる、または超えられる場合、
ゲートウェイデバイスはＵＥグループ内のＵＥのセッション管理要求メッセージを拒絶または廃棄する、または
ＵＥグループ内のＵＥのデータを廃棄する、または
ＵＥグループ内のＵＥのベアラーまたはＰＤＰコンテキストを削除する、または
ＵＥグループの輻輳／過負荷制御パラメータまたはポリシーを超えるデータを廃棄する、または
ＵＥグループの輻輳／過負荷制御パラメータまたはポリシーを超えるデータに関して料金請求する。
【００８６】
この実施形態で提供された輻輳／過負荷制御方法を使用することによって、ゲートウェイデバイスが輻輳／過負荷状態にあるときゲートウェイデバイスはＵＥグループの輻輳／過負荷制御パラメータまたはポリシーに関する知られた情報にしたがってＵＥグループ内のＵＥに対して異なるように輻輳／過負荷制御を実行し得るので、輻輳／過負荷制御はゲートウェイデバイスに対して実行可能であり、ゲートウェイデバイス上で多数のＵＥによって引き起こされる輻輳／過負荷は防止され、そして輻輳／過負荷制御の効率は改善される。
【００８７】
ゲートウェイデバイスによって知られたＵＥグループの輻輳／過負荷制御パラメータまたはポリシーに関する情報は下記のパラメータまたはポリシーは、
ＵＥグループのベアラーまたはＰＤＰコンテキストの最大数、
ＵＥグループの最大アクセス速度、
ＵＥグループのベアラーの総合最大ビットレート（ＡＭＢＲ）、
ＵＥグループの非保証ビットレート（ＧＢＲ）ベアラーのＡＭＢＲ、
同じＡＰＮ内のＵＥグループのベアラーのＡＭＢＲ、および
同じＡＰＮ内のＵＥグループの非ＧＢＲベアラーのＡＭＢＲ、の少なくとも１つを含み得る。
【００８８】
この実施形態のステップ３０１で、ゲートウェイデバイスは下記のモードでＵＥグループの輻輳／過負荷制御パラメータまたはポリシーに関する情報を知り得る。
【００８９】
Ａ．移動度管理要素からＵＥグループの輻輳／過負荷制御パラメータまたはポリシーに関する情報を知る。
【００９０】
特に、ＵＥグループの輻輳／過負荷制御パラメータまたはポリシーに関する情報を知った後に移動度管理要素はセッション管理メッセージ、例えばＰＤＰコンテキスト生成要求メッセージまたはセッション生成要求メッセージを介して輻輳／過負荷制御パラメータまたはポリシーに関する情報をゲートウェイデバイスに送信する。移動度管理要素は下記のモードで輻輳／過負荷制御パラメータまたはポリシーに関する情報を知り得る。
【００９１】
ａ．加入プロファイルリポジトリからＵＥグループの輻輳／過負荷制御パラメータまたはポリシーに関する情報を知る。
【００９２】
ＵＥによって送信され、ＵＥ  ＩＤまたはＵＥグループＩＤを保持するアクセス要求メッセージを受信した後に、移動度管理要素はＵＥ  ＩＤまたはＵＥグループＩＤにしたがってホーム位置レジスタ（ホーム位置レジスタ、ＨＬＲ）またはホーム加入者サーバ（ホーム加入者サーバ、ＨＳＳ）といった加入プロファイルリポジトリからＵＥグループの輻輳／過負荷制御パラメータまたはポリシーに関する情報を含むＵＥグループの加入データを知り得る。この特定のモードは、移動度管理要素が更新位置要求メッセージを加入プロファイルリポジトリに送信すること、更新位置要求メッセージを受信した後に加入プロファイルリポジトリが更新位置肯定応答メッセージを介して加入データ内のＵＥグループの輻輳／過負荷制御パラメータまたはポリシーに関する情報を移動度管理要素に返送すること、であり得る。
【００９３】
アクセス要求メッセージは、添付要求メッセージ、経路指定領域更新要求メッセージ、追跡領域更新要求メッセージ、サービス要求メッセージ、ＰＤＮ接続性要求メッセージ、またはＰＤＰコンテキスト活性化要求メッセージであり得る。
【００９４】
ｂ．ＵＥコンテキストからＵＥグループの輻輳／過負荷制御パラメータまたはポリシーに関する情報を知る。
【００９５】
特に、ＵＥコンテキストが移動度管理要素に記憶されている場合には移動度管理要素はＵＥコンテキストからＵＥグループの輻輳／過負荷制御パラメータまたはポリシーに関する情報を知ることもあり得る。
【００９６】
ｃ．構成情報からＵＥグループの輻輳／過負荷制御パラメータまたはポリシーに関する情報を知る。
【００９７】
移動度管理要素はＵＥグループのＩＤ（グループＩＤと呼ばれる）にしたがってＵＥグループの輻輳／過負荷制御パラメータまたはポリシーに関する情報を構成し、構成情報からＵＥグループの輻輳／過負荷制御パラメータまたはポリシーに関する情報を知り得る。グループＩＤはグループを識別するために使用されるが、またグループはＵＥグループ、機械間（機械間、Ｍ２Ｍ）ＭＴＣユーザ、Ｍ２Ｍアプリケーション加入者（ＭＴＣ加入者またはＭＴＣサーバ）、または複数のデバイスからなる他のグループである可能性があり、このことはこの実施形態に限定されない。上記のグループＩＤは、ＵＥグループＩＤ、または１グループ内の複数のＵＥによって共有されるＩＤ、例えば国際移動加入者識別番号（国際移動加入者識別番号、ＩＭＳＩ）、移動局国際統合サービス・ディジタルネットワーク番号（移動局国際統合サービス・ディジタルネットワーク番号、ＭＳＩＳＤＮ）、または国際移動装置識別（国際移動装置識別、ＩＭＥＩ）であり得る、またはＩＭＳＩセグメントまたはＭＳＩＳＤＮセグメントである可能性もあり、あるいは１つのグループを示し得る他のＩＤ、例えばアクセスポイント名（アクセスポイント名、ＡＰＮ）である可能性もある。この実施形態はグループＩＤの形を限定しない。
【００９８】
Ｂ．構成情報からＵＥグループの輻輳／過負荷制御パラメータまたはポリシーに関する情報を知る。
【００９９】
ゲートウェイデバイスはＵＥグループのＩＤ（グループＩＤと呼ばれる）にしたがってＵＥグループの輻輳／過負荷制御パラメータまたはポリシーに関する情報を構成し、構成情報からＵＥグループの輻輳／過負荷制御パラメータまたはポリシーに関する情報を知り得る。特に、ゲートウェイデバイスは移動度管理要素によって送信されたセッション管理メッセージ、例えばＰＤＰコンテキスト生成要求メッセージまたはセッション生成要求メッセージを介してＵＥ  ＩＤまたはＵＥグループＩＤを知り、そしてＵＥ  ＩＤまたはＵＥグループＩＤにしたがって構成情報からＵＥグループの輻輳／過負荷制御パラメータまたはポリシーに関する情報を知り得る。
【０１００】
Ｃ．データベースからＵＥグループの輻輳／過負荷制御パラメータまたはポリシーに関する情報を知る。
【０１０１】
ゲートウェイデバイスは移動度管理要素によって送信されたセッション管理メッセージ、例えばＰＤＰコンテキスト生成要求メッセージまたはセッション生成要求メッセージを介してＵＥ  ＩＤまたはＵＥグループＩＤを知り、そしてＵＥ  ＩＤまたはＵＥグループＩＤにしたがってＵＥグループの輻輳／過負荷制御パラメータまたはポリシーに関する情報に関して認証、認可および会計（認証、認可および会計、ＡＡＡ）サーバといったデータベースに問合せを行う可能性がある。
【０１０２】
この実施形態のステップ３０２で、ＵＥグループのベアラーまたはＰＤＰコンテキストの数がＵＥグループのベアラーまたはＰＤＰコンテキストの最大数に達する、または最大数を超える場合には、ゲートウェイデバイスは下記のモードで輻輳／過負荷制御を実行し得る。
【０１０３】
Ａ．ＵＥグループ内のＵＥのセッション管理要求メッセージを拒絶または廃棄する。
【０１０４】
特に、ゲートウェイデバイスが輻輳／過負荷状態にあるときゲートウェイデバイスがＵＥグループ内のＵＥに関して移動度管理要素によって送信されたセッション管理要求メッセージ、例えばＰＤＰコンテキスト生成要求メッセージ、セッション生成要求メッセージまたはベアラー修正要求メッセージを受信した場合、ゲートウェイデバイスはこのセッション管理要求メッセージを拒絶または廃棄する。所望により、ゲートウェイデバイスはＵＥグループのベアラーまたはＰＤＰコンテキストの数がＵＥグループのベアラーまたはＰＤＰコンテキストの最大数に達する、または最大数を超えることを許されているかどうかを示す指示情報にしたがってセッション管理要求メッセージを受け入れ、または拒絶、または廃棄してもよい。例えば、ＵＥグループのベアラーまたはＰＤＰコンテキストの数がＵＥグループのベアラーまたはＰＤＰコンテキストの最大数に達する、または最大数を超えることを許されていないことを指示情報が示す場合には、ゲートウェイデバイスはこのグループ内のＵＥのセッション管理要求メッセージを拒絶または廃棄する。
【０１０５】
ＵＥグループのベアラーまたはＰＤＰコンテキストの数がＵＥグループのベアラーまたはＰＤＰコンテキストの最大数に達する、または最大数を超えることを許されているかどうかを示す指示情報はゲートウェイデバイス上で構成され得る。例えば、移動度管理要素によって送信されたセッション管理要求メッセージを受信した後にゲートウェイデバイスはこのセッション管理要求メッセージ内のＵＥ  ＩＤまたはＵＥグループＩＤにしたがって構成情報に問合せを行い、そしてＵＥグループのベアラーまたはＰＤＰコンテキストの数がＵＥグループのベアラーまたはＰＤＰコンテキストの最大数に達する、または最大数を超えることを許されているかどうかを示す指示情報を知る。またはＵＥグループのベアラーまたはＰＤＰコンテキストの数がＵＥグループのベアラーまたはＰＤＰコンテキストの最大数に達する、または最大数を超えることを許されているかどうかを示す指示情報は加入データ内で定義され得る。例えば移動度管理要素は、ＵＥグループのベアラーまたはＰＤＰコンテキストの数がＵＥグループのベアラーまたはＰＤＰコンテキストの最大数に達する、または最大数を超えることを許されているかどうかを示す指示情報を加入データから知り、それからセッション管理要求メッセージを介して、ＵＥグループのベアラーまたはＰＤＰコンテキストの数がＵＥグループのベアラーまたはＰＤＰコンテキストの最大数に達する、または最大数を超えることを許されているかどうかを示す指示情報をゲートウェイデバイスに送信する。
【０１０６】
更に、ゲートウェイデバイスはＵＥグループ内のＵＥに関して移動度管理要素によって送信されたセッション管理要求メッセージをパーセンテージにしたがって拒絶または廃棄し得る。ＵＥグループのベアラーまたはＰＤＰコンテキストの数がＵＥグループのベアラーまたはＰＤＰコンテキストの最大数に達する、または最大数を超える場合には、ゲートウェイデバイスはＵＥグループ内のＵＥに関して移動度管理要素によって送信されたセッション管理要求メッセージを受信し、パーセンテージにしたがってセッション管理要求メッセージを拒絶または廃棄する。
【０１０７】
所望により、ゲートウェイデバイスは移動度管理要素に返送されたセッション管理拒絶メッセージ内に時間指示情報（第１の時間指示情報と呼ばれる）（バックオフタイム）（例えば持続時間または時点）および／または原因値を保持してもよい。
【０１０８】
第１の時間指示情報および／または原因値を受信した後に移動度管理要素は下記の処理を実行し得る。
【０１０９】
移動度管理要素は第１の時間指示情報および／または原因値をＵＥに送信する（例えば移動度管理要素はアクセス要求拒絶メッセージを介して第１の時間指示情報および／または原因値をＵＥに送信する）。または
【０１１０】
２．移動度管理要素は受信された第１の時間指示情報および／または原因値にしたがって時間指示情報（第２の時間指示情報と呼ばれる）および／または原因値情報を生成し、この生成された第２の時間指示情報および／または原因値情報をＵＥに送信する。例えばゲートウェイデバイスによって送信された第１の時間指示情報を知った後に、移動度管理要素はＵＥによって送信されたアクセス要求を受信し、第１の時間指示情報からＵＥによって送信されたアクセス要求を受信した時点を差し引き、そして得られた結果を第２の時間指示情報の値として使用する。または
【０１１１】
３．移動度管理要素は第１の時間指示情報および／または原因値にしたがってアクセス制御を実行する（例えばＵＥのアクセス要求メッセージを拒絶または廃棄する）。特に、第１の時間指示情報は第１の時間指示情報によって指示された時間範囲内に（例えば第１の時間指示情報が満了する前に）ＵＥグループ内のＵＥのアクセス要求メッセージを拒絶または廃棄するように移動度管理要素に命令するために使用され得る、または第１の時間指示情報は第１の時間指示情報によって指示された時間範囲を過ぎて（例えば第１の時間指示情報が満了した後に）ＵＥグループ内のＵＥのアクセス要求メッセージを受け入れるように移動度管理要素に命令するために使用され得る、原因値はゲートウェイデバイスが輻輳／過負荷状態にあることを移動度管理要素に通知するために使用され得る。または
【０１１２】
４．移動度管理要素は第１の時間指示情報および／または原因値（３で説明された）にしたがってアクセス制御を実行し、第１の時間指示情報および／または原因値をＵＥに送信する（例えば移動度管理要素はアクセス要求拒絶メッセージを介して第１の時間指示情報および／または原因値をＵＥに送信する）。
【０１１３】
更に、ゲートウェイデバイスのセッション拒絶要求メッセージを受信した後に、移動度管理要素は第２の時間指示情報および／または原因値情報を生成し（用意し）、そして第２の時間指示情報および／または原因値情報をＵＥに送信し得る（例えば移動度管理要素はアクセス要求拒絶メッセージを介して第２の時間指示情報および／または原因値情報をＵＥに送信する）。例えば、移動度管理要素は構成情報（移動度管理要素上で構成された第２の時間指示情報の値）にしたがって第２の時間指示情報および／または原因値情報を生成する。
【０１１４】
移動度管理要素によってＵＥに送信された第２の時間指示情報はアクセス要求を頻繁にまたは直ちに開始しないようにＵＥに命令するために使用される。特に、第２の時間指示情報は第２の時間指示情報によって示された時間範囲内に（例えば第２の時間指示情報が満了する前に）アクセス要求メッセージを送信しないようにＵＥグループ内のＵＥに命令するために使用され得る、または第２の時間指示情報は第２の時間指示情報によって示された時間範囲を過ぎて（例えば第２の時間指示情報が満了した後に）アクセス要求メッセージを送信するようにＵＥグループ内のＵＥに命令するために使用される可能性もある。原因値情報は更にアクセス要求メッセージを頻繁にまたは直ちに送信しないようにＵＥグループ内のＵＥに命令するために使用され得る。移動度管理要素によってＵＥに送信された第２の時間指示情報および／または原因値情報にしたがって、ＵＥはアクセス要求を頻繁にまたは直ちに開始しないであろうが、このことはネットワーク上で多数のＵＥによって引き起こされる頻繁に繰り返される信号伝達の影響を軽減し、多量の信号伝達の影響によって引き起こされるネットワークの輻輳または過負荷を防止する。
【０１１５】
Ｂ．ＵＥグループ内のＵＥのデータを廃棄する。
【０１１６】
特に、ゲートウェイデバイスが輻輳／過負荷状態にあるときゲートウェイデバイスがＵＥグループ内のＵＥのデータを受信した場合にはゲートウェイデバイスはこのデータを廃棄する。例えば、ゲートウェイデバイスはＵＥグループ内のＵＥのベアラーゲート状態を閉鎖にセットし得る。ゲートウェイデバイスがＵＥグループ内のＵＥのデータを受信したときゲートウェイデバイスはこのデータを廃棄し得る。所望により、ゲートウェイデバイスはＵＥグループのベアラーまたはＰＤＰコンテキストの数がＵＥグループのベアラーまたはＰＤＰコンテキストの最大数に達する、または最大数を超えることを許されているかどうかを示す指示情報にしたがってＵＥグループ内のＵＥのデータを廃棄してもよい。例えば、ＵＥグループのベアラーまたはＰＤＰコンテキストの数がＵＥグループのベアラーまたはＰＤＰコンテキストの最大数に達する、または最大数を超えることを許されていないことを指示情報が示す場合には、ゲートウェイデバイスはＵＥグループ内のＵＥのデータを廃棄する。ＵＥグループのベアラーまたはＰＤＰコンテキストの数がＵＥグループのベアラーまたはＰＤＰコンテキストの最大数に達する、または最大数を超えることを許されているかどうかを示す指示情報をゲートウェイデバイスが知るための方法はＡにおいて説明されている。
【０１１７】
Ｃ．ＵＥグループ内のＵＥのベアラーまたはＰＤＰコンテキストを削除する。
【０１１８】
特に、ゲートウェイデバイスはＵＥグループ内のＵＥのベアラーまたはＰＤＰコンテキストを削除するためにベアラー削除手順を開始し得る。所望により、ゲートウェイデバイスはＵＥグループのベアラーまたはＰＤＰコンテキストの数がＵＥグループのベアラーまたはＰＤＰコンテキストの最大数に達する、または最大数を超えることを許されているかどうかを示す指示情報にしたがってＵＥグループ内のＵＥのデータを廃棄してもよい。例えば、ＵＥグループのベアラーまたはＰＤＰコンテキストの数がＵＥグループのベアラーまたはＰＤＰコンテキストの最大数に達する、または最大数を超えることを許されていないことを指示情報が示す場合には、ゲートウェイデバイスはＵＥグループ内のＵＥのベアラーまたはＰＤＰコンテキストを削除する。ＵＥグループのベアラーまたはＰＤＰコンテキストの数がＵＥグループのベアラーまたはＰＤＰコンテキストの最大数に達する、または最大数を超えることを許されているかどうかを示す指示情報をゲートウェイデバイスが知るための方法はＡにおいて説明されている。
【０１１９】
この実施形態のステップ３０２で、ＵＥグループのアクセス速度（ＵＥグループ内のＵＥによってアクセス要求を送信する速度、例えばＵＥグループ内のＵＥによって添付要求、ＰＤＮ接続性要求、またはＰＤＰコンテキスト活性化要求を送信する速度）がＵＥグループの最大アクセス速度（ＵＥグループ内のＵＥによってアクセス要求を送信する最大速度、例えばＵＥグループ内のＵＥによって添付要求、ＰＤＮ接続性要求、またはＰＤＰコンテキスト活性化要求を送信する最大速度）に達する、または超える場合には、ゲートウェイデバイスは下記のモードで輻輳／過負荷制御を実行し得る。
【０１２０】
Ａ．ＵＥグループ内のＵＥのセッション管理要求メッセージを拒絶または廃棄する。
【０１２１】
特に、ゲートウェイデバイスが輻輳／過負荷状態にあるときゲートウェイデバイスがＵＥグループ内のＵＥに関して移動度管理要素によって送信されたセッション管理要求メッセージ、例えばＰＤＰコンテキスト生成要求メッセージ、セッション生成要求メッセージ、またはベアラー修正要求メッセージを受信した場合、ゲートウェイデバイスはこのセッション管理要求メッセージを拒絶または廃棄する。所望により、ゲートウェイデバイスはＵＥグループのアクセス速度がＵＥグループの最大アクセス速度に達する、または最大アクセス速度を超えることを許されているかどうかを示す指示情報にしたがってセッション管理要求メッセージを受け入れるか、または拒絶するか、または廃棄してもよい。例えば、ＵＥグループのアクセス速度がＵＥグループの最大アクセス速度に達する、または最大アクセス速度を超えることを許されていないことを指示情報が示す場合には、ゲートウェイデバイスはＵＥグループ内のＵＥのセッション管理要求メッセージを拒絶または廃棄する。
【０１２２】
ＵＥグループのアクセス速度がＵＥグループの最大アクセス速度に達する、または最大アクセス速度を超えることを許されているかどうかを示す指示情報はゲートウェイデバイス上で構成され得る。例えば、移動度管理要素によって送信されたセッション管理要求メッセージを受信した後にゲートウェイデバイスはこのセッション管理要求メッセージ内のＵＥ  ＩＤまたはＵＥグループＩＤにしたがって構成情報に問合せを行い、そしてＵＥグループのアクセス速度がＵＥグループの最大アクセス速度に達する、または最大アクセス速度を超えることを許されているかどうかを示す指示情報を知る。またはＵＥグループのアクセス速度がＵＥグループの最大アクセス速度に達する、または最大アクセス速度を超えることを許されているかどうかを示す指示情報は加入データ内で定義され得る。例えば移動度管理要素は、ＵＥグループのアクセス速度がＵＥグループの最大アクセス速度に達する、または最大アクセス速度を超えることを許されているかどうかを示す指示情報を加入データから知り、それからセッション管理要求メッセージを介して、ＵＥグループのアクセス速度がＵＥグループの最大アクセス速度に達する、または最大アクセス速度を超えることを許されているかどうかを示す指示情報をゲートウェイデバイスに送信する。
【０１２３】
更に、ゲートウェイデバイスはＵＥグループ内のＵＥに関して移動度管理要素によって送信されたセッション管理要求メッセージをパーセンテージにしたがって拒絶または廃棄し得る。ＵＥグループのアクセス速度がＵＥグループの最大アクセス速度に達する、または最大アクセス速度を超える場合には、ゲートウェイデバイスはＵＥグループ内のＵＥに関して移動度管理要素によって送信されたセッション管理要求メッセージを受信し、パーセンテージにしたがってこのセッション管理要求メッセージを拒絶または廃棄する。
【０１２４】
所望により、ゲートウェイデバイスはまた移動度管理要素に返送されたセッション管理拒絶メッセージ内の時間指示情報（第１の時間指示情報と呼ばれる）（バックオフタイム）（例えば持続時間または時点）および／または原因値を保持してもよい。
【０１２５】
第１の時間指示情報および／または原因値を受信した後に移動度管理要素は下記の処理を実行し得る。
【０１２６】
移動度管理要素は第１の時間指示情報および／または原因値をＵＥに送信する（例えば移動度管理要素はアクセス要求拒絶メッセージを介して第１の時間指示情報および／または原因値をＵＥに送信する）。または
【０１２７】
２．移動度管理要素は受信された第１の時間指示情報および／または原因値にしたがって時間指示情報（第２の時間指示情報と呼ばれる）および／または原因値情報を生成し、この生成された第２の時間指示情報および／または原因値情報をＵＥに送信する。例えば、ゲートウェイデバイスによって送信された第１の時間指示情報を知った後に、移動度管理要素はＵＥによって送信されたアクセス要求を受信し、第１の時間指示情報からＵＥによって送信されたアクセス要求を受信した時点を差し引き、そして得られた結果を第２の時間指示情報の値として使用する。または
【０１２８】
３．移動度管理要素は第１の時間指示情報および／または原因値にしたがってアクセス制御を実行する（例えばＵＥのアクセス要求メッセージを拒絶または廃棄する）。特に、第１の時間指示情報は第１の時間指示情報によって指示された時間範囲内に（例えば第１の時間指示情報が満了する前に）ＵＥグループ内のＵＥのアクセス要求メッセージを拒絶または廃棄するように移動度管理要素に命令するために使用され得る、または第１の時間指示情報は第１の時間指示情報によって指示された時間範囲を過ぎて（例えば第１の時間指示情報が満了した後に）ＵＥグループ内のＵＥのアクセス要求メッセージを受け入れるように移動度管理要素に命令するために使用され得る、原因値はゲートウェイデバイスが輻輳／過負荷状態にあることを移動度管理要素に通知するために使用され得る。または
【０１２９】
４．移動度管理要素は第１の時間指示情報および／または原因値（３で説明された）にしたがってアクセス制御を実行し、第１の時間指示情報および／または原因値をＵＥに送信する（例えば移動度管理要素はアクセス要求拒絶メッセージを介して第１の時間指示情報および／または原因値をＵＥに送信する）。
【０１３０】
更に、ゲートウェイデバイスのセッション拒絶要求メッセージを受信した後に、移動度管理要素は第２の時間指示情報および／または原因値情報を生成し（用意し）、そして第２の時間指示情報および／または原因値情報をＵＥに送信し得る（例えば移動度管理要素はアクセス要求拒絶メッセージを介して第２の時間指示情報および／または原因値情報をＵＥに送信する）。例えば、移動度管理要素は構成情報（移動度管理要素上で構成された第２の時間指示情報の値）にしたがって第２の時間指示情報および／または原因値情報を生成する。
【０１３１】
移動度管理要素によってＵＥに送信された第２の時間指示情報はアクセス要求を頻繁にまたは直ちに開始しないようにＵＥに命令するために使用される。特に、第２の時間指示情報は第２の時間指示情報によって指示された時間範囲内に（例えば第２の時間指示情報が満了する前に）アクセス要求メッセージを送信しないようにＵＥグループ内のＵＥに命令するために使用され得る、または第２の時間指示情報は第２の時間指示情報によって指示された時間範囲を過ぎて（例えば第２の時間指示情報が満了した後に）アクセス要求メッセージを送信するようにＵＥグループ内のＵＥに命令するために使用される可能性もある、原因値情報は更にアクセス要求メッセージを頻繁にまたは直ちに送信しないようにＵＥグループ内のＵＥに命令するために使用され得る。移動度管理要素によってＵＥに送信された第２の時間指示情報および／または原因値情報にしたがって、ＵＥはアクセス要求を頻繁にまたは直ちに開始しないであろうが、このことはネットワーク上の多数のＵＥによって引き起こされる頻繁に繰り返される信号伝達の影響を軽減し、多量の信号伝達の影響によって引き起こされるネットワークの輻輳または過負荷を防止する。
【０１３２】
Ｂ．ＵＥグループ内のＵＥのデータを廃棄する。
【０１３３】
特に、ゲートウェイデバイスが輻輳／過負荷状態にあるときゲートウェイデバイスがＵＥグループ内のＵＥのデータを受信した場合には、ゲートウェイデバイスはこのデータを廃棄する。例えば、ゲートウェイデバイスはＵＥグループ内のＵＥのベアラーゲート状態を閉鎖にセットし得る、ゲートウェイデバイスがＵＥグループ内のＵＥのデータを受信したときゲートウェイデバイスはこのデータを廃棄し得る。
【０１３４】
この実施形態のステップ３０２で、ゲートウェイデバイスはＵＥグループのベアラーのＡＭＢＲにしたがってＵＥグループのベアラーの全帯域幅（総合ビットレート）を限定する、またはＵＥグループの非ＧＢＲベアラーのＡＭＢＲにしたがってＵＥグループの非ＧＢＲベアラーの全帯域幅を限定する、または同じＡＰＮ内のＵＥグループのベアラーのＡＭＢＲにしたがって同じＡＰＮ内のＵＥグループのベアラーの全帯域幅を限定する、または同じＡＰＮ内のＵＥグループの非ＧＢＲベアラーのＡＭＢＲ（Ｇｒｏｕｐ−ＡＰＮ−ＡＭＢＲ）にしたがって同じＡＰＮ内のＵＥグループの非ＧＢＲベアラーの全帯域幅（総合ビットレート）を限定する。ＵＥグループのベアラーの全帯域幅（ビットレート）がＵＥグループのベアラーのＡＭＢＲに達するまたはＡＭＢＲを超える場合、またはＵＥグループの非ＧＢＲベアラーの全帯域幅がＵＥグループの非ＧＢＲベアラーのＡＭＢＲに達するまたはＡＭＢＲを超える場合、または同じＡＰＮ内のＵＥグループのベアラーの全帯域幅が同じＡＰＮ内のＵＥグループのベアラーのＡＭＢＲに達するまたはＡＭＢＲを超える場合、または同じＡＰＮ内のＵＥグループの非ＧＢＲベアラーの全帯域幅が同じＡＰＮ内のＵＥグループの非ＧＢＲベアラーのＡＭＢＲに達するまたはＡＭＢＲを超える場合、ゲートウェイデバイスは下記のモードで輻輳／過負荷制御を実行し得る。
【０１３５】
Ａ．ＡＭＢＲを超えるデータを廃棄する、または
【０１３６】
Ｂ．ＡＭＢＲを超えるデータに関して料金請求する。
【０１３７】
この実施形態の輻輳／過負荷制御方法は、多数の無線アクセスネットワーク、例えば発展ＵＭＴＳ（ユニバーサル移動体電気通信システム、ＵＭＴＳ）地上無線アクセスネットワーク（発展ＵＭＴＳ地上無線アクセスネットワーク、Ｅ−ＵＴＲＡＮ）、ＵＴＭＳ地上無線アクセスネットワーク（ＵＭＴＳ地上無線アクセスネットワーク、ＵＴＲＡＮ）、ＧＳＭ（登録商標）（移動体通信用グローバルシステム）またはＥＤＧＥ（ＧＳＭ（登録商標）発展用増強データ転送速度、ＥＤＧＥ）無線アクセスネットワーク（ＧＳＭ（登録商標）／ＥＤＧＥ無線アクセスネットワーク、ＧＥＲＡＮ）および非第３世代パートナーシッププロジェクト（第３世代パートナーシッププロジェクト、３ＧＰＰ）ネットワークにおいて適用可能である。
【０１３８】
移動度管理要素は、Ｅ−ＵＴＲＡＮにおける移動度管理エンティティ（移動度管理エンティティ、ＭＭＥ）またはＵＴＲＡＮ／ＧＥＲＡＮにおけるサービスＧＰＲＳ（汎用パケット無線サービス、ＧＰＲＳ）サポートノード（サービスＧＰＲＳサポートノード、ＳＧＳＮ）であり得る。
【０１３９】
ゲートウェイデバイスは、サービスゲートウェイ（サービスゲートウェイ、Ｓ−ＧＷ）、パケットデータ・ネットワーク・ゲートウェイ（パケットデータ・ネットワーク・ゲートウェイ、Ｐ−ＧＷ）、またはゲートウェイＧＰＲＳ（汎用パケット無線サービス、ＧＰＲＳ）サポートノード（ゲートウェイＧＰＲＳサポートノード、ＧＧＳＮ）といったネットワーク要素であり得る。
【０１４０】
同様に、この実施形態の移動度管理要素は同様の仕方でグループ内のＵＥに対して異なるように輻輳／過負荷制御を実行する可能性もある。ただ１つの違いは、移動度管理要素によって知られたＵＥグループの輻輳／過負荷制御パラメータまたはポリシーに関する情報が少なくともＵＥグループのベアラーまたはＰＤＰコンテキストの最大数および／またはＵＥグループの最大アクセス速度を含み得ることであり、このことはこれ以上ここでは説明されない。移動度管理要素が輻輳／過負荷状態にあるとき移動度管理要素はＵＥグループの輻輳／過負荷制御パラメータまたはポリシーに関する知られた情報にしたがってＵＥグループ内のＵＥに対して異なるように輻輳／過負荷制御を実行し得るので、輻輳／過負荷制御は移動度管理要素に対して実行可能であり、ゲートウェイデバイス上で多数のＵＥによって引き起こされる輻輳／過負荷は防止され、そして輻輳／過負荷制御の効率は改善される。
【０１４１】
図４は、本発明の第４の実施形態によるもう１つの輻輳／過負荷制御方法の概略流れ図である。この実施形態は第３の実施形態の特定の事例である。図４に示されているように、この実施形態の輻輳／過負荷制御方法は下記のステップを含み得る。
【０１４２】
ステップ４０１：ＵＥはアクセス要求メッセージを移動度管理要素に送信する。
【０１４３】
アクセス要求メッセージは、添付要求メッセージ、経路指定領域更新要求メッセージ、追跡領域更新要求メッセージ、サービス要求メッセージ、ＰＤＮ接続性要求メッセージ、またはＰＤＰコンテキスト活性化要求メッセージであり得る。
【０１４４】
ステップ４０２：移動度管理要素はアクセス要求メッセージを受信し、アクセス要求メッセージが添付要求メッセージまたは経路指定領域更新要求メッセージまたは追跡領域更新要求メッセージである場合には更新位置要求メッセージを加入プロファイルリポジトリに送信する。
【０１４５】
ステップ４０３：加入プロファイルリポジトリは更新位置要求メッセージを受信し、更新位置肯定応答メッセージを移動度管理要素に返送するが、この更新位置肯定応答メッセージはＵＥグループの輻輳／過負荷制御パラメータまたはポリシーに関する情報を保持し得る。
【０１４６】
ステップ４０４：移動度管理要素は更新位置肯定応答メッセージを受信し、セッション管理要求メッセージをゲートウェイデバイスに送信するが、このセッション管理要求メッセージはＵＥグループの輻輳／過負荷制御パラメータまたはポリシーに関する情報を保持し得る。
【０１４７】
このセッション管理要求メッセージに保持されているＵＥグループの輻輳／過負荷制御パラメータまたはポリシーに関する情報は加入プロファイルリポジトリまたはＵＥコンテキストから移動度管理要素によって知られ得る、または移動度管理要素自身によって構成され得る。
【０１４８】
セッション管理要求メッセージはＰＤＰコンテキスト生成要求メッセージ、セッション生成要求メッセージまたはベアラー修正要求メッセージであり得る。
【０１４９】
ゲートウェイデバイスがＰＧＷである場合には移動度管理要素はＳＧＷを介してセッション管理メッセージをＰＧＷに送信し得る。
【０１５０】
ステップ４０５：ゲートウェイデバイスはセッション管理要求メッセージを受信し、セッション管理要求応答メッセージを移動度管理要素に返送する。ゲートウェイデバイスはＵＥグループの輻輳／過負荷制御パラメータまたはポリシーに関する情報にしたがって輻輳／過負荷制御を実行するが、ここでゲートウェイデバイスがＵＥグループの輻輳／過負荷制御パラメータまたはポリシーに関する情報にしたがって輻輳／過負荷制御を実行するＵＥグループのその輻輳／過負荷制御パラメータまたはポリシーに関する情報は移動度管理要素から知られ得る、またはゲートウェイデバイス自身によって構成され得る。
【０１５１】
セッション管理要求応答メッセージは、ＰＤＰコンテキスト生成応答／拒絶メッセージ、セッション生成応答／拒絶メッセージ、またはベアラー修正応答／拒絶メッセージであり得る。
【０１５２】
このステップにおいて、ゲートウェイデバイスが輻輳／過負荷制御を実行するための方法は第３の実施形態で説明されており、ここでは更に説明されることはない。
【０１５３】
所望により、ゲートウェイデバイスはセッション管理要求応答メッセージ内に第１の時間指示情報（バックオフタイム）（例えば持続時間または時点）および／または原因値を保持してもよい。第１の時間指示情報および／または原因値は第３の実施形態で説明されており、ここで更に説明されることはない。
【０１５４】
ステップ４０６：移動度管理要素はセッション管理要求応答メッセージを受信し、アクセス要求応答メッセージをＵＥグループ内のＵＥに返送する。
【０１５５】
アクセス要求応答メッセージは、添付受入れ／拒絶メッセージ、経路指定領域更新受入れ／拒絶メッセージ、追跡領域更新受入れ／拒絶メッセージ、サービス要求受入れ／拒絶メッセージ、ＰＤＮ接続性受入れ／拒絶メッセージ、または活性ＰＤＰコンテキスト受入れ／拒絶メッセージであり得る。
【０１５６】
所望により、移動度管理要素はアクセス要求応答メッセージ内に第２の時間指示情報（バックオフタイム）（例えば持続時間または時点）および／または原因値情報を保持してもよい。第２の時間指示情報および／または原因値情報は第１の実施形態で説明されており、ここで更に説明されることはない。
【０１５７】
この実施形態において提供された輻輳／過負荷制御方法を使用することによって、ゲートウェイデバイスが輻輳／過負荷状態にあるときにゲートウェイデバイスはＵＥグループの輻輳／過負荷制御パラメータまたはポリシーに関する知られた情報にしたがってＵＥグループ内のＵＥに対して異なるように輻輳／過負荷制御を実行し得るので、輻輳／過負荷制御はゲートウェイデバイスに対して実行可能であり、ゲートウェイデバイス上で多数のＵＥによって引き起こされる輻輳／過負荷は防止され、そして輻輳／過負荷制御の効率は改善される。
【０１５８】
図５は、本発明の第５の実施形態による更にもう１つの輻輳／過負荷制御方法の概略流れ図である。図５に示されているように、この実施形態の輻輳／過負荷制御方法は下記のステップを含み得る。
【０１５９】
ステップ５０１：ゲートウェイデバイスによって送信されたゲートウェイデバイスが輻輳／過負荷状態にあることまたはアプリケーションサーバが機能不全／輻輳／過負荷／到達不能／誤動作状態にあることを示す指示メッセージを受信する。
【０１６０】
ステップ５０２：ゲートウェイデバイスにアクセスするＵＥに関して他のゲートウェイデバイスを選択する、または
ゲートウェイデバイスまたはアプリケーションサーバによってサービス提供されるＵＥのアクセス要求メッセージを拒絶または廃棄する、または
ゲートウェイデバイスまたはアプリケーションサーバ上でＵＥを切り離す、または
ゲートウェイデバイスまたはアプリケーションサーバ上でＵＥのベアラーを削除する。
【０１６１】
この実施形態で提供された輻輳／過負荷制御方法を使用することによって、ゲートウェイデバイスが輻輳／過負荷状態にあるとき、またはアプリケーションサーバが機能不全／輻輳／過負荷／到達不能／誤動作状態にあるとき、移動度管理要素はゲートウェイデバイスによって送信された指示情報にしたがって輻輳／過負荷制御を実行し得るので、輻輳／過負荷制御はゲートウェイデバイスに対して実行可能であり、ゲートウェイデバイス上で多数のＵＥによって引き起こされる輻輳／過負荷は防止される。
【０１６２】
この実施形態のステップ５０１で、ゲートウェイデバイスが輻輳／過負荷状態にあるとき、またはアプリケーションサーバ（ＭＴＣサーバ）が機能不全／輻輳／過負荷／到達不能／誤動作状態にあるとき、ゲートウェイデバイスは指示メッセージを移動度管理要素に送信し、ゲートウェイデバイスが輻輳／過負荷状態にあることまたはアプリケーションサーバが機能不全／輻輳／過負荷／到達不能／誤動作状態にあることを移動度管理要素に通知し、そして移動度管理要素は輻輳／過負荷制御を実行する。所望により、この指示メッセージはグループのグループＩＤを保持してもよい。例えばグループＩＤは、ゲートウェイデバイスの輻輳／過負荷を引き起こすグループ、機能不全／輻輳／過負荷／到達不能／誤動作状態にあるアプリケーションサーバまたは輻輳／過負荷状態にあるゲートウェイデバイスによってサービス提供されるグループ、またはアプリケーションサーバが機能不全／輻輳／過負荷／到達不能／誤動作状態になるようにするグループを識別し得る。グループＩＤはグループを識別するために使用され、またグループはＵＥグループ、機械間（機械間、Ｍ２Ｍ）ＭＴＣユーザ、Ｍ２Ｍアプリケーション加入者（ＭＴＣ加入者またはＭＴＣサーバ）、または複数のデバイスからなる他のグループであり得るが、このことはこの実施形態に限定されない。上記のグループＩＤは、ＵＥグループＩＤ、または１グループ内の複数のＵＥによって共有されるＩＤ、例えば国際移動加入者識別番号（国際移動加入者識別番号、ＩＭＳＩ）、移動局国際統合サービス・ディジタルネットワーク番号（移動局国際統合サービス・ディジタルネットワーク番号、ＭＳＩＳＤＮ）、または国際移動装置識別（国際移動装置識別、ＩＭＥＩ）であり得るか、またはＩＭＳＩセグメントまたはＭＳＩＳＤＮセグメントである可能性もあり、あるいはグループを示し得る他のＩＤ、例えばアクセスポイント名（アクセスポイント名、ＡＰＮ）である可能性もある。この実施形態はグループＩＤの形を限定しない。
【０１６３】
所望により、指示メッセージは第１の時間指示情報および／または原因値を含むパラメータ情報を保持してもよい。
【０１６４】
所望により、ゲートウェイデバイスは輻輳／過負荷制御を実行してもよい。ゲートウェイデバイスは下記のグループ：すなわちゲートウェイデバイスの輻輳／過負荷を引き起こすグループ、または機能不全／輻輳／過負荷／到達不能／誤動作状態にあるアプリケーションサーバまたは輻輳／過負荷状態にあるゲートウェイデバイスによってサービス提供されるグループ、またはアプリケーションサーバが機能不全／輻輳／過負荷／到達不能／誤動作状態になるようにするグループ、内のＵＥのデータを廃棄し得る。例えば、ゲートウェイデバイスはＵＥグループ内のＵＥのベアラーゲート状態を閉鎖にセットし得る、ゲートウェイデバイスがＵＥグループ内のＵＥのデータを受信したときゲートウェイデバイスはこのデータを廃棄し得る。ゲートウェイデバイスは下記のグループ、すなわちゲートウェイデバイスの輻輳／過負荷を引き起こすグループ、または機能不全／輻輳／過負荷／到達不能／誤動作状態にあるアプリケーションサーバまたは輻輳／過負荷状態にあるゲートウェイデバイスによってサービス提供されるグループ、またはアプリケーションサーバが機能不全／輻輳／過負荷／到達不能／誤動作状態になるようにするグループ、内のＵＥのベアラーを削除し得る。例えば、ゲートウェイデバイスはグループ内のＵＥのベアラーを削除するためにベアラー削除手順を開始する。
【０１６５】
この実施形態のステップ５０２で、移動度管理要素はゲートウェイデバイスによって送信された知られた指示メッセージにしたがってゲートウェイデバイスが輻輳／過負荷状態にあることまたはアプリケーションサーバが機能不全／輻輳／過負荷／到達不能／誤動作状態にあることを知り、下記のモードで輻輳／過負荷制御を実行し得る。
【０１６６】
Ａ．ゲートウェイデバイスにアクセスするＵＥに関して他のゲートウェイデバイスを選択する。
【０１６７】
特に、ＵＥによって送信されたアクセス要求メッセージを受信した後に移動度管理要素はＵＥに関して他のゲートウェイデバイスを選択し得る。例えば、移動度管理要素はＡＰＮにしたがってＵＥに関してゲートウェイデバイス・リストを知り、このゲートウェイデバイス・リストから他のゲートウェイデバイスを選択する。ステップ５０１でゲートウェイデバイスによって送信された指示メッセージがグループのグループＩＤを保持している場合には、移動度管理要素はこのグループ内のＵＥに関して他のゲートウェイデバイスを選択し得る。特に、グループ内のＵＥによって送信されＵＥ  ＩＤまたはグループＩＤを保持するアクセス要求メッセージを受信した後に、移動度管理要素はＵＥに関して他のゲートウェイデバイスを選択し得る。例えば、移動度管理要素はＡＰＮにしたがってグループ内のＵＥに関してゲートウェイデバイス・リストを知り、このゲートウェイデバイス・リストから他のゲートウェイデバイスを選択する。アクセス要求メッセージは、添付要求メッセージ、経路指定領域更新要求メッセージ、追跡領域更新要求メッセージ、サービス要求メッセージ、ＰＤＮ接続性要求メッセージ、またはＰＤＰコンテキスト活性化要求メッセージであり得る。
【０１６８】
Ｂ．ゲートウェイデバイスまたはアプリケーションサーバによってサービス提供されるＵＥのアクセス要求メッセージを拒絶または廃棄する。
【０１６９】
特に、移動度管理要素はゲートウェイデバイスまたはアプリケーションサーバによってサービス提供されるＵＥによって送信されたアクセス要求メッセージを受信し、アクセス要求を拒絶または廃棄する。例えば、ＵＥはアクセス要求内にＡＰＮを保持する、ＡＰＮがゲートウェイデバイスまたはアプリケーションサーバを目標とする場合には、移動度管理要素はＵＥのアクセス要求を拒絶または廃棄する。ステップ５０１でゲートウェイデバイスによって送信された指示メッセージがグループのグループＩＤを保持する場合には、移動度管理要素はグループ内のＵＥによって送信されたアクセス要求メッセージを受信し、そして移動度管理要素はこのアクセス要求メッセージを拒絶または廃棄する。例えば、アクセス要求メッセージがＵＥ  ＩＤまたはグループＩＤを保持しているとき、このＵＥ
ＩＤが指示メッセージ内のグループＩＤに属している（または含まれている）（すなわちＵＥが指示メッセージ内のグループＩＤによって識別されるグループに属している）場合、またはグループＩＤが指示メッセージ内のグループＩＤと同じである場合、移動度管理要素はＵＥのアクセス要求メッセージを拒絶または廃棄する。
【０１７０】
更に、移動度管理要素によって受信された指示メッセージが時間指示情報（第１の時間指示情報と呼ばれる）および／または原因値を保持している場合には移動度管理要素は第１の時間指示情報および／または原因値を受信した後に下記の処理を実行し得る。
【０１７１】
移動度管理要素は第１の時間指示情報および／または原因値をＵＥに送信する（例えば移動度管理要素はアクセス要求拒絶メッセージを介して第１の時間指示情報および／または原因値をＵＥに送信する）。または
【０１７２】
２．移動度管理要素は受信された第１の時間指示情報および／または原因値にしたがって時間指示情報（第２の時間指示情報と呼ばれる）および／または原因値情報を生成し、この生成された第２の時間指示情報および／または原因値情報をＵＥに送信する。例えば、ゲートウェイデバイスによって送信された第１の時間指示情報を知った後に、移動度管理要素はＵＥによって送信されたアクセス要求を受信し、第１の時間指示情報からＵＥによって送信されたアクセス要求を受信した時点を差し引き、そして得られた結果を第２の時間指示情報の値として使用する。または
【０１７３】
３．移動度管理要素は第１の時間指示情報および／または原因値にしたがってアクセス制御を実行する（例えばＵＥのアクセス要求メッセージを拒絶または廃棄する）。特に、移動度管理要素は第１の時間指示情報によって指示された時間範囲内に（例えば第１の時間指示情報が満了する前に）ＵＥのアクセス要求メッセージを拒絶または廃棄し得る、または移動度管理要素は第１の時間指示情報によって指示された時間範囲を過ぎて（例えば第１の時間指示情報が満了した後に）ＵＥのアクセス要求メッセージを受け入れる可能性もある、または原因値にしたがって移動度管理要素はゲートウェイデバイスが輻輳／過負荷状態にあることまたはアプリケーションサーバが機能不全／輻輳／過負荷／到達不能／誤動作状態にあること知る可能性もある。または
【０１７４】
４．移動度管理要素は第１の時間指示情報および／または原因値（３で説明された）にしたがってアクセス制御を実行し、第１の時間指示情報および／または原因値をＵＥに送信する（例えば移動度管理要素はアクセス要求拒絶メッセージを介して第１の時間指示情報および／または原因値をＵＥに送信する）。
【０１７５】
更に、ゲートウェイデバイスのセッション拒絶要求メッセージを受信した後に、移動度管理要素は第２の時間指示情報および／または原因値情報を生成し（用意し）、そして第２の時間指示情報および／または原因値情報をＵＥに送信し得る（例えば移動度管理要素はアクセス要求拒絶メッセージを介して第２の時間指示情報および／または原因値情報をＵＥに送信する）。例えば、移動度管理要素は構成情報（移動度管理要素上で構成された第２の時間指示情報の値）にしたがって第２の時間指示情報および／または原因値情報を生成する。
【０１７６】
移動度管理要素によってＵＥに送信された第２の時間指示情報は、アクセス要求を頻繁にまたは直ちに開始しないようにＵＥに命令するために使用される。特に、第２の時間指示情報は第２の時間指示情報によって指示された時間範囲内に（例えば第２の時間指示情報が満了する前に）アクセス要求メッセージを送信しないようにＵＥに命令するために使用され得る、または第２の時間指示情報は第２の時間指示情報によって指示された時間範囲を過ぎて（例えば第２の時間指示情報が満了した後に）アクセス要求メッセージを送信するようにＵＥに命令するために使用される、原因値情報は更にアクセス要求メッセージを頻繁にまたは直ちに送信しないようにＵＥに命令するために使用される。移動度管理要素によってＵＥに送信された第２の時間指示情報および／または原因値情報にしたがって、ＵＥはアクセス要求を頻繁にまたは直ちに開始しないであろうが、このことはネットワーク上で多数のＵＥによって引き起こされる頻繁に繰り返される信号伝達の影響を軽減し、多量の信号伝達の影響によって引き起こされるネットワークの輻輳または過負荷を防止する。
【０１７７】
Ｃ．ゲートウェイデバイスまたはアプリケーションサーバ上でＵＥを切り離す。
【０１７８】
移動度管理要素はＵＥに関して切り離し手順を開始し得る。例えば、移動度管理要素はＵＥコンテキスト内のゲートウェイデバイスに関する情報（例えばゲートウェイデバイスのアドレス）またはアプリケーションサーバに関する情報（ＵＥコンテキストに対応するゲートウェイデバイスまたはアプリケーションサーバに関する情報、例えばＡＰＮ）にしたがって切り離されるべきＵＥを知り、そしてＵＥに関して切り離し手順を開始する。ステップ５０１でゲートウェイデバイスによって送信された指示メッセージがグループのグループＩＤを保持している場合には移動度管理要素はこの指示メッセージに保持されているグループＩＤにしたがってグループ内の切り離されるべきＵＥを知り、そしてグループ内のＵＥに関して切り離し手順を開始する。
【０１７９】
Ｄ．ゲートウェイデバイスまたはアプリケーションサーバ上でＵＥのベアラーを削除する。
【０１８０】
移動度管理要素はＵＥに関してベアラー削除手順を開始し得る。例えば、移動度管理要素はＵＥコンテキスト内のゲートウェイデバイスに関する情報（例えばゲートウェイデバイスのアドレス）またはアプリケーションサーバに関する情報（ゲートウェイデバイス、またはゲートウェイデバイスに対応するアプリケーションサーバに関する情報、例えばＡＰＮ）にしたがってそのベアラーが削除される必要のあるＵＥを知り、そしてＵＥに関してベアラー削除手順を開始する。ステップ５０１でゲートウェイデバイスによって送信された指示メッセージがグループのグループＩＤを保持している場合には移動度管理要素は受信された指示メッセージに保持されているグループＩＤにしたがってグループ内のそのベアラーが削除されるべきＵＥを知り、そしてグループ内のＵＥに関してベアラー削除手順を開始する。
【０１８１】
この実施形態で提供された輻輳／過負荷制御方法を使用することによって、ゲートウェイデバイスが輻輳／過負荷状態にあるとき、またはアプリケーションサーバが機能不全／輻輳／過負荷／到達不能／誤動作状態にあるとき、移動度管理要素はゲートウェイデバイスによって送信された指示メッセージまたは保持されているグループＩＤまたはパラメータ情報にしたがってグループ内のＵＥに対して異なるように輻輳／過負荷制御を実行し得る、更に、移動度管理要素は指示メッセージ内のパラメータ情報にしたがって持続時間内にグループ内のＵＥに対してアクセス制御を実行する可能性があり、また移動度管理要素によってＵＥに送信された第２の時間指示情報および／または原因値はアクセス要求を頻繁にまたは直ちに送信しないようにＵＥに命令するが、このことはネットワーク上で多数のＵＥによって引き起こされる頻繁に繰り返される信号伝達の影響を軽減し、多量の信号伝達の影響によって引き起こされるネットワークの輻輳または過負荷を防止する。移動度管理要素の制御下で、輻輳／過負荷制御はゲートウェイデバイスに対して実施されることが可能であり、ゲートウェイデバイス上で多数のＵＥによって引き起こされる輻輳／過負荷は防止され、そして輻輳／過負荷制御の効率は改善される。
【０１８２】
この実施形態の輻輳／過負荷制御方法は、多数の無線アクセスネットワーク、例えば発展ＵＭＴＳ（ユニバーサル移動体電気通信システム、ＵＭＴＳ）地上無線アクセスネットワーク（発展ＵＭＴＳ地上無線アクセスネットワーク、Ｅ−ＵＴＲＡＮ）、ＵＭＴＳ地上無線アクセスネットワーク（ＵＭＴＳ地上無線アクセスネットワーク、ＵＴＲＡＮ）、ＧＳＭ（登録商標）（移動体通信用グローバルシステム）またはＥＤＧＥ（ＧＳＭ（登録商標）発展用増強データ転送速度、ＥＤＧＥ）無線アクセスネットワーク（ＧＳＭ（登録商標）／ＥＤＧＥ無線アクセスネットワーク、ＧＥＲＡＮ）および非第３世代パートナーシッププロジェクト（第３世代パートナーシッププロジェクト、３ＧＰＰ）ネットワークにおいて適用可能である。
【０１８３】
移動度管理要素は、Ｅ−ＵＴＲＡＮにおける移動度管理エンティティ（移動度管理エンティティ、ＭＭＥ）またはＵＴＲＡＮ／ＧＥＲＡＮにおけるサービスＧＰＲＳ（汎用パケット無線サービス、ＧＰＲＳ）サポートノード（サービスＧＰＲＳサポートノード、ＳＧＳＮ）であり得る。
【０１８４】
ゲートウェイデバイスは、サービスゲートウェイ（サービスゲートウェイ、Ｓ−ＧＷ）、パケットデータ・ネットワーク・ゲートウェイ（パケットデータ・ネットワーク・ゲートウェイ、Ｐ−ＧＷ）、またはゲートウェイＧＰＲＳ（汎用パケット無線サービス、ＧＰＲＳ）サポートノード（ゲートウェイＧＰＲＳサポートノード、ＧＧＳＮ）といったネットワーク要素であり得る。
【０１８５】
図６は、本発明の第６の実施形態による更にもう１つの輻輳／過負荷制御方法の概略流れ図である。この実施形態は第５の実施形態の特定の事例である。図６に示されているようにこの実施形態の輻輳／過負荷制御方法は下記のステップを含み得る。
【０１８６】
ステップ６０１：ゲートウェイデバイスは指示メッセージを移動度管理要素に送信するが、この指示メッセージは輻輳／過負荷制御を実行するように移動度管理要素に命令するために使用される。
【０１８７】
特に、ゲートウェイデバイスが輻輳／過負荷状態にあるとき、またはアプリケーションサーバが機能不全／輻輳／過負荷／到達不能／誤動作状態にあることをゲートウェイデバイスが知ったとき、ゲートウェイデバイスは輻輳／過負荷制御を実行する（例えばＵＥのアクセス要求を拒絶または廃棄する）ように移動度管理要素に命令する指示メッセージを移動度管理要素に送信する。
【０１８８】
所望により、指示メッセージはグループのグループＩＤ、例えばＡＰＮ、ＩＭＳＩセグメント、またはＭＳＩＳＤＮセグメントといったＩＤを保持してもよい。グループＩＤはゲートウェイデバイスの輻輳／過負荷を引き起こすグループ、機能不全／輻輳／過負荷／到達不能／誤動作状態にあるアプリケーションサーバまたは輻輳／過負荷状態にあるゲートウェイデバイスによってサービス提供されるグループ、またはアプリケーションサーバが機能不全／輻輳／過負荷／到達不能／誤動作状態になるようにするグループ、を識別し得る。
【０１８９】
所望により、指示メッセージは第１の時間指示情報および／または原因値を保持してもよい。
【０１９０】
第１の時間指示情報および／または原因値は第５の実施形態において説明されており、ここで更に説明されることはない。
【０１９１】
ステップ６０２：移動度管理要素は指示メッセージを受信し、指示肯定応答メッセージをゲートウェイデバイスに返送する。
【０１９２】
このステップは選択的である。
【０１９３】
ステップ６０３：ＵＥはアクセス要求メッセージを移動度管理要素に送信する。
【０１９４】
ステップ６０４：移動度管理要素はアクセス要求メッセージを拒絶または廃棄する。
【０１９５】
特に、移動度管理要素はゲートウェイデバイスまたはアプリケーションサーバによってサービス提供されるＵＥによって送信されたアクセス要求メッセージを受信し、そしてアクセス要求を拒絶または廃棄する。例えば、ＵＥはアクセス要求内にＡＰＮを保持する、ＡＰＮがゲートウェイデバイスまたはアプリケーションサーバを目標とする場合には移動度管理要素はＵＥのアクセス要求を拒絶または廃棄する。ステップ６０１でゲートウェイデバイスによって送信された指示メッセージがグループのグループＩＤを保持する場合、そしてアクセス要求メッセージがグループ内のＵＥから来た場合には移動度管理要素はアクセス要求メッセージを拒絶または廃棄する。例えば、アクセス要求メッセージ内に保持されたＵＥ  ＩＤが指示メッセージ内のグループＩＤに属している（または含まれている）（すなわちＵＥが指示メッセージ内のグループＩＤによって識別されるグループに属している）場合、またはアクセス要求メッセージに保持されているグループＩＤが指示メッセージ内のグループＩＤと同じである場合、移動度管理要素はアクセス要求メッセージを拒絶または廃棄する。更に、移動度管理要素はグループ内のＵＥによって送信されたアクセス要求拒絶メッセージ内に第２の時間指示情報および／または原因値情報を保持し得る。
【０１９６】
このステップにおける第２の時間指示情報および／または原因値は第５の実施形態で説明されており、ここで更に説明されることはない。
【０１９７】
この実施形態で提供された輻輳／過負荷制御方法を使用することによって、ゲートウェイデバイスが輻輳／過負荷状態にあるとき、またはアプリケーションサーバが機能不全／輻輳／過負荷／到達不能／誤動作状態にあるとき、移動度管理要素はゲートウェイデバイスによって送信された指示メッセージにしたがってＵＥグループ内のＵＥに対して異なるように輻輳／過負荷制御を実行し得るので、輻輳／過負荷制御はゲートウェイデバイスに対して実行可能であり、ゲートウェイデバイス上で多数のＵＥによって引き起こされる輻輳／過負荷は防止され、そして輻輳／過負荷制御の効率は改善される。
【０１９８】
説明を容易にするために本発明の前述の実施形態がすべて一連の処置として説明されていることは留意されるべきである。当分野に精通する人々は、本発明がここで説明された処置の順序に限定されないこと、および本発明にしたがって幾つかのステップが他の順序で、または同時に実行され得ることを理解する。更に、本明細書における実施形態が例示的実施形態であること、およびこれらの実施形態に関連する処置およびモジュールが本発明にとって必須でないことは当分野に精通する人々にとって理解可能である。
【０１９９】
本発明の前述の実施形態において、各実施形態はその強調点を有する。本発明の１つの実施形態で詳細説明されていないことは、別の実施形態の関連説明で詳細説明されている。
【０２００】
図７は本発明の第７の実施形態によるゲートウェイデバイスの概略構造図である。図７に示されているように、この実施形態のゲートウェイデバイスは学習モジュール７１と制御モジュール７２とを含んでもよい。学習モジュール７１はＵＥまたはＵＥグループのネットワーク・アクセスタイムに関する情報を知り、制御モジュール７２はＵＥグループ内のＵＥのセッション管理要求メッセージを拒絶または廃棄する、またはＵＥまたはＵＥグループのネットワーク・アクセスタイムを過ぎてＵＥグループ内のＵＥのデータを廃棄する。
【０２０１】
第１の実施形態の方法および第２の実施形態のゲートウェイデバイスの機能の両者は、この実施形態において提供されたゲートウェイデバイスによって実現され得る。
【０２０２】
この実施形態で提供された輻輳／過負荷状態のゲートウェイデバイスによって、ゲートウェイデバイスが輻輳／過負荷状態にあるとき制御モジュールはＵＥまたはＵＥグループのネットワーク・アクセスタイムに関する知られた情報にしたがってグループ内のＵＥに対して異なるように輻輳／過負荷制御を実行し得るので、輻輳／過負荷制御はゲートウェイデバイスに対して実行可能であり、ゲートウェイデバイス上で多数のＵＥによって引き起こされる輻輳／過負荷は防止され、そして輻輳／過負荷制御の効率は改善される。
【０２０３】
更に、特にこの実施形態の学習モジュール７１は、セッション管理メッセージを介して、構成情報から移動度管理要素によって知られるＵＥまたはＵＥグループのネットワーク・アクセスタイムに関する情報を移動度管理要素から知り得る、またはセッション管理メッセージを介して、加入プロファイルリポジトリから移動度管理要素によって知られるＵＥまたはＵＥグループのネットワーク・アクセスタイムに関する情報を移動度管理要素から知り得る、またはセッション管理メッセージを介して、ＵＥコンテキストから移動度管理要素によって知られるＵＥまたはＵＥグループのネットワーク・アクセスタイムに関する情報を移動度管理要素から知り得る、またはゲートウェイデバイスの構成情報からＵＥまたはＵＥグループのネットワーク・アクセスタイムに関する情報を知り得る、またはデータベースからＵＥまたはＵＥグループのネットワーク・アクセスタイムに関する情報を知り得る。
【０２０４】
更に、この実施形態の制御モジュール７２がＵＥグループ内のＵＥのセッション管理要求メッセージを拒絶する場合には、制御モジュール７２は時間指示情報（第１の時間指示情報と呼ばれる）および／または原因値を保持するセッション管理拒絶メッセージを移動度管理要素に送信し得る、ここで、
第１の時間指示情報は第１の時間指示情報によって指示された時間範囲内にＵＥグループ内のＵＥのアクセス要求メッセージを拒絶または廃棄するように移動度管理要素に命令するために使用される、または
第１の時間指示情報は第１の時間指示情報によって指示された時間範囲を過ぎてＵＥグループ内のＵＥのアクセス要求メッセージを受け入れるように移動度管理要素に命令するために使用される、または
原因値はゲートウェイデバイスが輻輳／過負荷状態にあることを移動度管理要素に通知するために使用される。
【０２０５】
図８は本発明の第８の実施形態によるもう１つのゲートウェイデバイスの概略構造図である。図８に示されているように、この実施形態のゲートウェイデバイスは学習モジュール８１と制御モジュール８２とを含み得る。学習モジュール８１はＵＥグループの輻輳／過負荷制御パラメータまたはポリシーに関する情報を知る、そしてＵＥグループの輻輳／過負荷制御パラメータまたはポリシーが達せられるまたは超えられるとき制御モジュール８２はＵＥグループ内のＵＥのセッション管理要求メッセージを拒絶または廃棄する、またはＵＥグループ内のＵＥのデータを廃棄する、またはＵＥグループ内のＵＥのベアラーまたはＰＤＰコンテキストを削除する、またはＵＥグループの輻輳／過負荷制御パラメータまたはポリシーを超えるデータを廃棄する、またはＵＥグループの輻輳／過負荷制御パラメータまたはポリシーを超えるデータに関して料金請求する。
【０２０６】
第３の実施形態の方法および第４の実施形態のゲートウェイデバイスの機能の両者はこの実施形態において提供されたゲートウェイデバイスによって実現され得る。
【０２０７】
この実施形態で提供されたゲートウェイデバイスによって、ゲートウェイデバイスが輻輳／過負荷状態にあるとき制御モジュールは学習モジュールによって知られたＵＥグループの輻輳／過負荷制御パラメータまたはポリシーに関する情報にしたがってグループ内のＵＥに対して異なるように輻輳／過負荷制御を実行し得るので、輻輳／過負荷制御はゲートウェイデバイスに対して実行可能であり、ゲートウェイデバイス上で多数のＵＥによって引き起こされる輻輳／過負荷は防止され、そして輻輳／過負荷制御の効率は改善される。
【０２０８】
更に、特にこの実施形態の学習モジュール８１は、セッション管理メッセージを介して、構成情報から移動度管理要素によって知られるＵＥグループの輻輳／過負荷制御パラメータまたはポリシーに関する情報を移動度管理要素から知り得る、またはセッション管理メッセージを介して、加入プロファイルリポジトリから移動度管理要素によって知られるＵＥグループの輻輳／過負荷制御パラメータまたはポリシーに関する情報を移動度管理要素から知り得る、またはセッション管理メッセージを介して、ＵＥコンテキストから移動度管理要素によって知られるＵＥグループの輻輳／過負荷制御パラメータまたはポリシーに関する情報を移動度管理要素から知り得る、またはゲートウェイデバイスの構成情報からＵＥグループの輻輳／過負荷制御パラメータまたはポリシーに関する情報を知り得る、またはデータベースからＵＥグループの輻輳／過負荷制御パラメータまたはポリシーに関する情報を知り得る。
【０２０９】
この実施形態におけるＵＥグループの輻輳／過負荷制御パラメータまたはポリシーに関する情報は下記のパラメータまたはポリシーは、
ＵＥグループのベアラーまたはＰＤＰコンテキストの最大数、
ＵＥグループの最大アクセス速度、
ＵＥグループのベアラーのＡＭＢＲ、
ＵＥグループの非ＧＢＲベアラーのＡＭＢＲ、
同じＡＰＮにおけるＵＥグループのベアラーのＡＭＢＲ、および
同じＡＰＮにおけるＵＥグループの非ＧＢＲベアラーのＡＭＢＲ、のうちの少なくとも１つを含む。
【０２１０】
更に、ＵＥグループのベアラーまたはＰＤＰコンテキストの数がＵＥグループのベアラーまたはＰＤＰコンテキストの最大数に達するまたは最大数を超える場合には、この実施形態の制御モジュール８２はＵＥグループ内のＵＥのセッション管理要求メッセージを拒絶または廃棄し得る、またはＵＥグループ内のＵＥのデータを廃棄し得る、またはＵＥグループ内のＵＥのベアラーまたはＰＤＰコンテキストを削除し得る。詳細な説明に関しては第３の実施形態における関連説明を参照すること。
【０２１１】
更に、ＵＥグループのアクセス速度がＵＥグループの最大アクセス速度に達するまたはこれを超える場合には、この実施形態の制御モジュール８２はＵＥグループ内のＵＥのセッション管理要求メッセージを拒絶または廃棄し得る、またはＵＥグループ内のＵＥのデータを廃棄し得る。詳細な説明に関しては第３の実施形態における関連説明を参照すること。
【０２１２】
更に、ＵＥグループのベアラーの全帯域幅がＵＥグループのベアラーのＡＭＢＲに達するまたはこれを超える場合、またはＵＥグループの非ＧＢＲベアラーの全帯域幅がＵＥグループの非ＧＢＲベアラーのＡＭＢＲに達するまたはこれを超える場合、または同じＡＰＮにおけるＵＥグループのベアラーの全帯域幅が同じＡＰＮにおけるＵＥグループのベアラーのＡＭＢＲに達するまたはこれを超える場合、または同じＡＰＮにおけるＵＥグループの非ＧＢＲベアラーの全帯域幅が同じＡＰＮにおけるＵＥグループの非ＧＢＲベアラーのＡＭＢＲに達するまたはこれを超える場合、この実施形態の制御モジュール８２はＡＭＢＲを超えるデータを廃棄し得る、またはＡＭＢＲを超えるデータに関して料金請求し得る。
【０２１３】
更に、この実施形態の制御モジュール８２がＵＥグループ内のＵＥのセッション管理要求メッセージを拒絶する場合には、制御モジュール８２は時間指示情報（第１の時間指示情報と呼ばれる）および／または原因値を保持するセッション管理拒絶メッセージを移動度管理要素に送信し得る、ここで、
第１の時間指示情報は第１の時間指示情報によって指示された時間範囲内にＵＥグループ内のＵＥのアクセス要求メッセージを拒絶または廃棄するように移動度管理要素に命令するために使用される、または
第１の時間指示情報は第１の時間指示情報によって指示された時間範囲を過ぎてＵＥグループ内のＵＥのアクセス要求メッセージを受け入れるように移動度管理要素に命令するために使用される、または
原因値はゲートウェイデバイスが輻輳／過負荷状態にあることを移動度管理要素に通知するために使用される。
【０２１４】
図９は、本発明の第９の実施形態による更にもう１つのゲートウェイデバイスの概略構造図である。図９に示されているように、この実施形態のゲートウェイデバイスはゲートウェイデバイスが輻輳／過負荷状態にあることまたはアプリケーションサーバが機能不全／輻輳／過負荷／到達不能／誤動作状態にあることを示す指示メッセージを移動度管理要素に送信することに適応した送信モジュール９１を含み得るので、移動度管理要素は、
ゲートウェイデバイスにアクセスするＵＥに関して他のゲートウェイデバイスを選択する、または
ゲートウェイデバイスまたはアプリケーションサーバによってサービス提供されるＵＥのアクセス要求メッセージを拒絶または廃棄する、または
ゲートウェイデバイスまたはアプリケーションサーバ上でＵＥを切り離す、または
ゲートウェイデバイスまたはアプリケーションサーバ上でＵＥのベアラーを削除する。
【０２１５】
第５の実施形態の方法および第６の実施形態のゲートウェイデバイスの機能の両者はこの実施形態において提供されたゲートウェイデバイスによって実現され得る。
【０２１６】
この実施形態で提供されたゲートウェイデバイスによって、ゲートウェイデバイスが輻輳／過負荷状態にあるとき、またはアプリケーションサーバが機能不全／輻輳／過負荷／到達不能／誤動作状態にあるとき、ゲートウェイデバイスは指示メッセージを移動度管理要素に送信し得るので、移動度管理要素はゲートウェイデバイスによって送信された指示メッセージにしたがって輻輳／過負荷制御を実行する。この仕方で、輻輳／過負荷制御はゲートウェイデバイスに対して実行可能であり、ゲートウェイデバイス上で多数のＵＥによって引き起こされる輻輳／過負荷は防止される。
【０２１７】
図１０は、本発明の第１０の実施形態による更にもう１つのゲートウェイデバイスの概略構造図である。図１０に示されているように第９の実施形態と比較して、この実施形態のゲートウェイデバイスは更に第１の制御モジュール１００１と第２の制御モジュール１００２とを含み得る。第１の制御モジュール１００１は下記のグループ、すなわちゲートウェイデバイスの輻輳／過負荷を引き起こすグループ、機能不全／輻輳／過負荷／到達不能／誤動作状態にあるアプリケーションサーバまたは輻輳／過負荷状態にあるゲートウェイデバイスによってサービス提供されるグループ、またはアプリケーションサーバが機能不全／輻輳／過負荷／到達不能／誤動作状態になるようにするグループ、内のＵＥのデータを廃棄し得る、第２の制御モジュール１００２は下記のグループ、すなわちゲートウェイデバイスの輻輳／過負荷を引き起こすグループ、機能不全／輻輳／過負荷／到達不能／誤動作状態にあるアプリケーションサーバまたは輻輳／過負荷状態にあるゲートウェイデバイスによってサービス提供されるグループ、またはアプリケーションサーバが機能不全／輻輳／過負荷／到達不能／誤動作状態になるようにするグループ、内のＵＥのベアラーを削除し得る。
【０２１８】
この実施形態で提供されたゲートウェイデバイスによって、ゲートウェイデバイスが輻輳／過負荷状態にあるとき、またはアプリケーションサーバが機能不全／輻輳／過負荷／到達不能／誤動作状態にあるとき、ゲートウェイデバイスは指示メッセージを移動度管理要素に送信し得るので、移動度管理要素は輻輳／過負荷制御を実行する、またはゲートウェイデバイスはそれ自身で輻輳／過負荷制御を実行し得る。この仕方で、輻輳／過負荷制御は更にゲートウェイデバイスに対して実行可能であり、ゲートウェイデバイス上で多数のＵＥによって引き起こされる輻輳／過負荷は防止される。
【０２１９】
図１１は、本発明の第１１の実施形態による移動度管理要素の概略構造図である、図１１に示されているように移動度管理要素は受信モジュール１１０１と制御モジュール１１０２とを含む。受信モジュール１１０１はゲートウェイデバイスによって送信されたゲートウェイデバイスが輻輳／過負荷状態にあることまたはアプリケーションサーバが機能不全／輻輳／過負荷／到達不能／誤動作状態にあること示す指示メッセージを受信する。制御モジュール１１０２はゲートウェイデバイスにアクセスするＵＥに関して他のゲートウェイデバイスを選択する、またはゲートウェイデバイスまたはアプリケーションサーバによってサービス提供されるＵＥのアクセス要求メッセージを拒絶または廃棄する、またはゲートウェイデバイスまたはアプリケーションサーバ上でＵＥを切り離す、またはゲートウェイデバイスまたはアプリケーションサーバ上でＵＥのベアラーを削除する。
【０２２０】
第５の実施形態の方法および第６の実施形態の移動度管理要素の機能の両者はこの実施形態において提供された移動度管理要素によって実現され得る。
【０２２１】
この実施形態で提供された移動度管理要素によって、ゲートウェイデバイスが輻輳／過負荷状態にあるとき、またはアプリケーションサーバが機能不全／輻輳／過負荷／到達不能／誤動作状態にあるとき、移動度管理要素はゲートウェイデバイスによって送信された指示メッセージにしたがって輻輳／過負荷制御を実行し得るので、輻輳／過負荷制御はゲートウェイデバイスに対して実行可能であり、ゲートウェイデバイス上で多数のＵＥによって引き起こされる輻輳／過負荷は防止される。
【０２２２】
更に、この実施形態の制御モジュール１１０２がゲートウェイデバイスまたはアプリケーションサーバによってサービス提供されるＵＥのアクセス要求メッセージを拒絶する場合には、制御モジュール１１０２は時間指示情報（第２の時間指示情報と呼ばれる）を保持し得るアクセス要求拒絶メッセージをＵＥに送信し得る、ここで、
第２の時間指示情報は第２の時間指示情報によって指示された時間範囲内にアクセス要求メッセージを送信しないようにグループ内のＵＥに命令するために使用される、または
第２の時間指示情報は第２の時間指示情報によって指示された時間範囲を過ぎてアクセス要求メッセージを送信するようにグループ内のＵＥに命令するために使用される。
【０２２３】
本発明の実施形態において説明された輻輳／過負荷が輻輳または過負荷を指すことは留意されるべきである。
【０２２４】
本発明の実施形態がＭ２Ｍ通信システムばかりでなく他の通信システム、例えば本発明の実施形態によって限定されない人間間（Ｈｕｍａｎ  ｔｏ  Ｈｕｍａｎ）（Ｈ２Ｈ）通信システムにおいても適用可能であることは留意されるべきである。
【０２２５】
前述の実施形態の方法のステップの全部または一部がプログラムによって命令される関連ハードウエアによって実現され得ることは当分野に精通する人々にとって理解可能である。プログラムはコンピュータ可読記憶媒体に記憶され得る。プログラムが動作するとき前述の実施形態の方法のステップは実行される、また記憶媒体は読み取り専用メモリ（ＲＯＭ）、ランダムアクセス・メモリ（ＲＡＭ）、磁気ディスクおよびコンパクトディスク読み取り専用メモリ（ＣＤ−ＲＯＭ）といった、プログラムコードを記憶できる如何なる媒体でもよい。
【０２２６】
最後に、本発明の実施形態が本発明を限定すること以外の本発明の技法的ソリューションを説明することを意図していることは留意されるべきである。本発明は前述の実施形態を参照しながら詳細に説明されているが、当分野に通常のスキルを有する人々は本発明の精神および範囲から逸脱せずに本発明の技法的ソリューションまたは本発明の幾つかの特徴に対して修正および代替が行われ得ることを理解すべきである。
【図７】
2015173503.tif 000003
【図８】
2015173503.tif 000004
【図９】
2015173503.tif 000005
【図１１】
2015173503.tif 000006
【図１】
2015173503.tif 000007
【図２】
2015173503.tif 000008
【図３】
2015173503.tif 000009
【図４】
2015173503.tif 000010
【図５】
2015173503.tif 000011
【図６】
2015173503.tif 000012
【図１０】
2015173503.tif 000013
【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）グループの輻輳／過負荷制御パラメータまたはポリシーに関する情報をゲートウェイデバイスによって取得すること、および
前記ＵＥグループの前記輻輳／過負荷制御パラメータまたはポリシーが達せられるまたは超えられる場合に、前記ＵＥグループ内のＵＥのセッション管理要求メッセージを前記ゲートウェイデバイスによって拒絶すること、
を備え、
前記ＵＥグループ内の前記ＵＥの前記セッション管理要求メッセージを前記拒絶することは、
第１の時間指示情報を保持するセッション管理拒絶メッセージを送信することであり、
前記第１の時間指示情報は、前記第１の時間指示情報によって指示された時間範囲内に前記ＵＥグループ内の前記ＵＥのアクセス要求メッセージを拒絶するように移動度管理要素に命令するために使用される、
輻輳／過負荷制御方法。
【請求項２】
前記ＵＥグループの前記輻輳／過負荷制御パラメータまたはポリシーに関する前記情報は、
前記ＵＥグループのベアラーまたはＰＤＰコンテキストの最大数、
前記ＵＥグループの最大アクセス速度、のうちの少なくとも１つを備える、請求項１に記載の方法。
【請求項３】
前記ＵＥグループの前記ベアラーまたはＰＤＰコンテキストの数が前記ＵＥグループの前記ベアラーまたはＰＤＰコンテキストの最大数に達するまたは最大数を超える場合に、前記ＵＥグループ内の前記ＵＥの前記セッション管理要求メッセージは拒絶されるか、または、
前記ＵＥグループのアクセス速度が前記ＵＥグループの最大アクセス速度に達するまたはこれを超える場合に、前記ＵＥグループ内の前記ＵＥの前記セッション管理要求メッセージは拒絶される、
請求項２に記載の方法。
【請求項４】
前記ＵＥグループの前記輻輳／過負荷制御パラメータまたはポリシーに関する前記情報を前記ゲートウェイデバイスによって前記取得することは、
構成情報から前記ＵＥグループの前記輻輳／過負荷制御パラメータまたはポリシーに関する前記情報を移動度管理要素によって取得し、そしてセッション管理メッセージを介して前記ＵＥグループの前記輻輳／過負荷制御パラメータまたはポリシーに関する前記情報を前記ゲートウェイデバイスに通知すること、または
加入プロファイルリポジトリから前記ＵＥグループの前記輻輳／過負荷制御パラメータまたはポリシーに関する前記情報を前記移動度管理要素によって取得し、そしてセッション管理メッセージを介して前記ＵＥグループの前記輻輳／過負荷制御パラメータまたはポリシーに関する前記情報を前記ゲートウェイデバイスに通知すること、または
ＵＥコンテキストから前記ＵＥグループの前記輻輳／過負荷制御パラメータまたはポリシーに関する前記情報を前記移動度管理要素によって取得し、そしてセッション管理メッセージを介して前記ＵＥグループの前記輻輳／過負荷制御パラメータまたはポリシーに関する前記情報を前記ゲートウェイデバイスに通知すること、または
前記ゲートウェイデバイスの構成情報から前記ＵＥグループの前記輻輳／過負荷制御パラメータまたはポリシーに関する前記情報を前記ゲートウェイデバイスによって取得すること、または
データベースから前記ＵＥグループの前記輻輳／過負荷制御パラメータまたはポリシーに関する前記情報を前記ゲートウェイデバイスによって取得すること、を備える、請求項１または３に記載の方法。
【請求項５】
前記ゲートウェイデバイスの前記構成情報は前記ＵＥグループのグループＩＤにしたがって構成された前記ＵＥグループの前記輻輳／過負荷制御パラメータまたはポリシーに関する前記情報であり、および
前記ゲートウェイデバイスの前記構成情報から前記ＵＥグループの前記輻輳／過負荷制御パラメータまたはポリシーに関する前記情報を前記ゲートウェイデバイスによって前記取得することは、
前記ＵＥグループの前記グループＩＤを保持する前記ＵＥのセッション管理要求を前記ゲートウェイデバイスによって受信すること、および
前記ゲートウェイデバイス上で構成された前記ＵＥグループの前記輻輳／過負荷制御パラメータまたはポリシーに関する前記情報を前記ＵＥグループの前記グループＩＤにしたがって前記ゲートウェイデバイスによって問合せを行うこと、を備える、請求項４に記載の方法。
【請求項６】
前記ＵＥグループ内の前記ＵＥの前記セッション管理要求メッセージを前記拒絶することは、セッション管理拒絶メッセージを移動度管理要素に送信することであり、
前記セッション管理拒絶メッセージを受信した後に第２の時間指示情報を前記移動度管理要素によって前記ＵＥに送信することを更に備えており、
前記第２の時間指示情報は前記第２の時間指示情報によって指示された時間範囲内にアクセス要求メッセージを送信しないように前記ＵＥグループ内の前記ＵＥに命令するために使用される、または
前記第２の時間指示情報は前記第２の時間指示情報によって指示された前記時間範囲を過ぎてアクセス要求メッセージを送信するように前記ＵＥグループ内の前記ＵＥに命令するために使用される、請求項１または５に記載の方法。
【請求項７】
前記第２の時間指示情報は、
前記ゲートウェイデバイスによって送信された前記セッション管理拒絶メッセージ内の前記第１の時間指示情報である、または
前記ゲートウェイデバイスによって送信された前記セッション管理拒絶メッセージ内の前記第１の時間指示情報にしたがって前記移動度管理要素によって生成される、または
構成された第２の時間指示情報にしたがって前記移動度管理要素によって生成される、請求項６に記載の方法。
【請求項８】
前記ゲートウェイデバイスによって送信された前記セッション管理拒絶メッセージ内の前記第１の時間指示情報にしたがって前記移動度管理要素によって前記生成することは、
前記ゲートウェイデバイスによって送信された前記第１の時間指示情報から前記ＵＥによって送信されたアクセス要求を受信した時点を前記移動度管理要素によって差し引き、そして得られた結果を前記第２の時間指示情報の値として使用することを備える、請求項７に記載の方法。
【請求項９】
前記ＵＥグループ内の前記ＵＥの前記セッション管理要求メッセージを前記拒絶することは、前記ＵＥグループの前記ベアラーまたはＰＤＰコンテキストの数が前記ＵＥグループの前記ベアラーまたはＰＤＰコンテキストの最大数に達するまたは最大数を超えることを許されているかどうか、または前記ＵＥグループのアクセス速度数が前記ＵＥグループの最大アクセス速度に達するまたはこれを超えることを許されているかどうかを示すために使用される指示情報にしたがって前記ＵＥまたは前記ＵＥグループ内の前記ＵＥの前記セッション管理要求メッセージを拒絶することを備えており、
前記指示情報は前記ゲートウェイデバイス上で構成される、または
移動度管理要素は加入データから前記指示情報を取得し、そしてセッション管理メッセージを介して前記指示情報を前記ゲートウェイデバイスに通知する、請求項２に記載の方法。
【請求項１０】
ユーザ装置（ＵＥ）グループの輻輳／過負荷制御パラメータまたはポリシーに関する情報を取得することに適応した取得モジュールと、
前記ＵＥグループの前記輻輳／過負荷制御パラメータまたはポリシーが達せられるまたは超えられる場合に、前記ＵＥグループ内のＵＥのセッション管理要求メッセージを拒絶することに適応した制御モジュールと、
を備え、
前記制御モジュールは、前記拒絶する際に、第１の時間指示情報を保持するセッション管理拒絶メッセージを送信することに更に適応しており、
前記第１の時間指示情報は、前記第１の時間指示情報によって指示された時間範囲内に前記ＵＥグループ内の前記ＵＥのアクセス要求メッセージを拒絶するように移動度管理要素に命令するために使用される、
ゲートウェイデバイス。
【請求項１１】
前記ＵＥグループの前記輻輳／過負荷制御パラメータまたはポリシーに関する前記情報は、
前記ＵＥグループのベアラーまたはＰＤＰコンテキストの最大数、
前記ＵＥグループの最大アクセス速度、のうちの少なくとも１つを備える、請求項１０に記載のゲートウェイデバイス。
【請求項１２】
前記制御モジュールは、
前記ＵＥグループの前記ベアラーまたはＰＤＰコンテキストの数が前記ＵＥグループの前記ベアラーまたはＰＤＰコンテキストの最大数に達するまたは最大数を超える場合に、前記ＵＥグループ内の前記ＵＥの前記セッション管理要求メッセージを拒絶することに適応しているか、または、
前記ＵＥグループのアクセス速度が前記ＵＥグループの最大アクセス速度に達するまたはこれを超える場合に、前記ＵＥグループ内の前記ＵＥの前記セッション管理要求メッセージを拒絶することに適応している、請求項１１に記載のゲートウェイデバイス。
【請求項１３】
前記取得モジュールは、
構成情報から移動度管理要素によって取得される前記ＵＥグループの前記輻輳／過負荷制御パラメータまたはポリシーに関する前記情報を前記移動度管理要素からセッション管理メッセージ介して取得すること、または
加入プロファイルリポジトリから前記移動度管理要素によって取得される前記ＵＥグループの前記輻輳／過負荷制御パラメータまたはポリシーに関する前記情報を前記移動度管理要素からセッション管理メッセージを介して取得すること、または
ＵＥコンテキストから前記移動度管理要素によって取得される前記ＵＥグループの前記輻輳／過負荷制御パラメータまたはポリシーに関する前記情報を前記移動度管理要素からセッション管理メッセージを介して取得すること、または
前記ゲートウェイデバイスの構成情報から前記ＵＥグループの前記輻輳／過負荷制御パラメータまたはポリシーに関する前記情報を取得すること、または
データベースから前記ＵＥグループの前記輻輳／過負荷制御パラメータまたはポリシーに関する前記情報を取得すること、に適応している、請求項１０〜１２いずれか一項に記載のゲートウェイデバイス。
【請求項１４】
移動度管理要素によって、第１の時間指示情報を保持するセッション管理拒絶メッセージをゲートウェイから受信することと、
前記移動度管理要素によって、前記第１の時間指示情報によって指示された時間範囲内にＵＥグループ内のＵＥのアクセス要求メッセージを拒絶することと、
を備えた輻輳／過負荷制御方法。
【請求項１５】
第１の時間指示情報を保持するセッション管理拒絶メッセージをゲートウェイから受信するように構成されたモジュールと、
前記第１の時間指示情報によって指示された時間範囲内にＵＥグループ内のＵＥのアクセス要求メッセージを拒絶するように構成されたモジュールと、
を備えた移動度管理要素。